(57)【要約】【課題】蓄電池の接続を正しく行うことが可能な収納装置、電源装置および電源装置の製造方法を提供する。【解決手段】収納装置１５１は、蓄電池Ｂの収納装置であって、蓄電池Ｂを載置可能であり、蓄電池Ｂを収容可能な間隔を隔てて設けられた複数の棚１２１と、蓄電池Ｂと他の回路とを電気的に接続するための電池接続ケーブル１３１，１３２，１４５とを備える。電池接続ケーブル１３１，１３２，１４５は、蓄電池Ｂが棚１２１に載置されていない状態において棚１２１に取り付けられている。【選択図】図３
2015002139.tif 000002
【特許請求の範囲】
【請求項１】
蓄電池の収納装置であって、
蓄電池を載置可能であり、前記蓄電池を収容可能な間隔を隔てて設けられた複数の棚と、
前記蓄電池と他の回路とを電気的に接続するための電池接続ケーブルとを備え、
前記電池接続ケーブルは、前記蓄電池が前記棚に載置されていない状態において前記棚に取り付けられている、収納装置。
【請求項２】
前記電池接続ケーブルには、前記蓄電池と他の前記棚に載置される前記蓄電池とを電気的に接続するための棚間ケーブルが含まれる、請求項１に記載の収納装置。
【請求項３】
前記棚は複数の蓄電池を載置可能であり、
前記電池接続ケーブルには、同じ前記棚に対応する前記蓄電池間または前記蓄電池と他の回路とを電気的に接続するための棚内ケーブルが含まれる、請求項１または請求項２に記載の収納装置。
【請求項４】
前記収納装置は、さらに、
前記蓄電池が前記棚に載置されていない状態において前記棚に固定され、同じ前記棚に対応する回路間に接続されるヒューズを備える、請求項１から請求項３のいずれか１項に記載の収納装置。
【請求項５】
前記収納装置は、さらに、
前記蓄電池が前記棚に載置されていない状態において前記棚に固定され、前記電池接続ケーブルを前記棚に取り付けるためのケーブル取り付け部を備える、請求項１から請求項４のいずれか１項に記載の収納装置。
【請求項６】
前記収納装置は、さらに、
前記棚に載置される前記蓄電池を挟むことにより固定し、変位することにより固定対象の前記蓄電池のサイズを変更可能な蓄電池固定部を備える、請求項１から請求項５のいずれか１項に記載の収納装置。
【請求項７】
前記棚は複数の蓄電池を載置可能であり、
前記電池接続ケーブルには、同じ前記棚に対応する前記蓄電池間または前記蓄電池と他の回路とを電気的に接続するための棚内ケーブル、および前記蓄電池と他の前記棚に載置される前記蓄電池とを電気的に接続するための棚間ケーブルが含まれ、
前記棚内ケーブルは、前記棚に載置される複数の前記蓄電池を電気的に直列に接続するために設けられ、
前記棚間ケーブルは、前記棚に載置される前記蓄電池と他の前記棚に載置される前記蓄電池とを電気的に直列または並列に接続するために設けられる、請求項１から請求項６のいずれか１項に記載の収納装置。
【請求項８】
前記棚は複数の蓄電池を載置可能であり、
前記電池接続ケーブルには、同じ前記棚に対応する前記蓄電池間または前記蓄電池と他の回路とを電気的に接続するための棚内ケーブルが含まれ、
前記棚内ケーブルの接続対象には、前記棚内ケーブルが取り付けられた前記棚に載置される前記蓄電池、または前記棚内ケーブルが取り付けられた前記棚の１段下の前記棚に載置される前記蓄電池が含まれる、請求項１から請求項７のいずれか１項に記載の収納装置。
【請求項９】
前記収納装置は、さらに、
前記電池接続ケーブルの接続先となる前記蓄電池の端子を示す識別子を備える、請求項１から請求項８のいずれか１項に記載の収納装置。
【請求項１０】
前記収納装置は、さらに、
前記蓄電池の端子に接続される前記電池接続ケーブルの端部、の反対側の端部が接続されたケーブル接続部を備え、
前記ケーブル接続部は、前記蓄電池の前記端子の位置に対応するような位置に設けられている、請求項１から請求項９のいずれか１項に記載の収納装置。
【請求項１１】
前記収納装置は、さらに、
前記棚に対して脱着可能であり、前記電池接続ケーブルに接続された部品が取り付けられたパネルを備える、請求項１から請求項１０のいずれか１項に記載の収納装置。
【請求項１２】
前記収納装置において、前記収納装置の外部回路との接続部から各前記棚に載置される前記蓄電池を経由した前記接続部までの前記電池接続ケーブルによる各経路、のインピーダンスが略同じである、請求項１から請求項１１のいずれか１項に記載の収納装置。
【請求項１３】
１または複数の蓄電池と、
前記蓄電池の収納装置とを備え、
前記収納装置は、
前記蓄電池を載置可能であり、前記蓄電池を収容可能な間隔を隔てて設けられた複数の棚と、
前記蓄電池と他の回路とを電気的に接続するための電池接続ケーブルとを含み、
前記電池接続ケーブルは、前記蓄電池が前記棚に載置されていない状態において前記棚に取り付けられている、電源装置。
【請求項１４】
蓄電池の収納装置を製造するステップと、
前記収納装置を設置して蓄電池を収納するステップとを含み、
前記収納装置は、
前記蓄電池を載置可能であり、前記蓄電池を収容可能な間隔を隔てて設けられた複数の棚と、
前記蓄電池と他の回路とを電気的に接続するための電池接続ケーブルとを備え、
前記電池接続ケーブルは、前記蓄電池が前記棚に載置されていない状態において前記棚に取り付けられており、
前記蓄電池を収納するステップにおいては、前記蓄電池を前記棚に載置するとともに、前記蓄電池と前記棚に取り付けられた前記電池接続ケーブルとを接続する、電源装置の製造方法。
【発明の詳細な説明】
【技術分野】
【０００１】
本発明は、収納装置、電源装置および電源装置の製造方法に関し、特に、蓄電池を収納する収納装置、電源装置および当該電源装置の製造方法に関する。
【背景技術】
【０００２】
特許第４６２２０２６号公報（特許文献１）には、端子を一面のみに備えた複数の蓄電池を収納するとともに、蓄電池の端子を備えた一面が同一面に配置された開口面を有した収納箱を備える蓄電池収納キュービクルが開示されている。蓄電池収納キュービクルにおいて、複数の収納箱は開口面が同一方向となるように配置されたモジュールを構成し、収納箱間において蓄電池間の電気的接続手段が配置され、モジュールの開口面が配置された面の外縁部に枠体が接続されるとともに、枠体にパネル板が備えられる。
【先行技術文献】
【特許文献】
【０００３】
【特許文献１】特許第４６２２０２６号公報
【特許文献２】特許第３６６７７２４号公報
【特許文献３】実開平７−８９５２号公報
【特許文献４】特許第５０９６８３７号公報
【特許文献５】特許第３５３２４３６号公報
【特許文献６】特許第３４０３９６４号公報
【特許文献７】特開平９−５０７９８号公報
【特許文献８】特開平１１−１２０９７８号公報
【特許文献９】実開平５−６９８４８号公報
【特許文献１０】特開２００３−３３１８０４号公報
【発明の概要】
【発明が解決しようとする課題】
【０００４】
しかしながら、特許文献１に記載の蓄電池収納キュービクルでは、複数の蓄電池の端子が同一面に配置されるため、いずれの蓄電池の端子同士を接続すべきかを把握することが困難となる。このため、作業者は、蓄電池の端子同士を接続する際、誤った接続を行ってしまう場合がある。
【０００５】
また、たとえば、収納箱内の蓄電池が電気的に直列に接続されている場合において、作業者が収納箱同士を電気的に接続する際に、作業者が電圧の高い端子と接触し、感電する場合がある。
【０００６】
この発明は、上述の課題を解決するためになされたもので、その目的は、蓄電池の接続を正しく行うことが可能な収納装置、電源装置および電源装置の製造方法を提供することである。
【課題を解決するための手段】
【０００７】
（１）上記課題を解決するために、この発明のある局面に係わる収納装置は、蓄電池の収納装置であって、蓄電池を載置可能であり、上記蓄電池を収容可能な間隔を隔てて設けられた複数の棚と、上記蓄電池と他の回路とを電気的に接続するための電池接続ケーブルとを備え、上記電池接続ケーブルは、上記蓄電池が上記棚に載置されていない状態において上記棚に取り付けられている。
【０００８】
（１３）上記課題を解決するために、この発明のある局面に係わる電源装置は、１または複数の蓄電池と、上記蓄電池の収納装置とを備え、上記収納装置は、上記蓄電池を載置可能であり、上記蓄電池を収容可能な間隔を隔てて設けられた複数の棚と、上記蓄電池と他の回路とを電気的に接続するための電池接続ケーブルとを含み、上記電池接続ケーブルは、上記蓄電池が上記棚に載置されていない状態において上記棚に取り付けられている。
【０００９】
（１４）上記課題を解決するために、この発明のある局面に係わる電源装置の製造方法は、蓄電池の収納装置を製造するステップと、上記収納装置を設置して蓄電池を収納するステップとを含み、上記収納装置は、上記蓄電池を載置可能であり、上記蓄電池を収容可能な間隔を隔てて設けられた複数の棚と、上記蓄電池と他の回路とを電気的に接続するための電池接続ケーブルとを備え、上記電池接続ケーブルは、上記蓄電池が上記棚に載置されていない状態において上記棚に取り付けられており、上記蓄電池を収納するステップにおいては、上記蓄電池を上記棚に載置するとともに、上記蓄電池と上記棚に取り付けられた上記電池接続ケーブルとを接続する。
【発明の効果】
【００１０】
本発明によれば、蓄電池の接続を正しく行うことができる。
【図面の簡単な説明】
【００１１】
【図１】図１は、本発明の第１の実施の形態に係る蓄電システムの構成を示す図である。
【図２】図２は、本発明の第１の実施の形態に係る電源装置の正面図である。
【図３】図３は、本発明の第１の実施の形態に係る電源装置の図２におけるＩＩＩ−ＩＩＩ線に沿う断面を示す断面図である。
【図４】図４は、本発明の第１の実施の形態に係る電源装置を右側面側から見た斜視図である。
【図５】図５は、本発明の第１の実施の形態に係る棚の一例を蓄電池載置時に右側面側から見た斜視図である。
【図６】図６は、図５に示す棚を下側から見た底面図である。
【図７】図７は、本発明の第１の実施の形態に係る棚の他の例を蓄電池載置時に右側面側から見た斜視図である。
【図８】図８は、本発明の第１の実施の形態に係る棚の他の例を蓄電池載置時に右側面側から見た斜視図である。
【図９】図９は、本発明の第１の実施の形態に係る蓄電池の電気的接続の一例を示す図である。
【図１０】図１０は、本発明の第１の実施の形態に係る電源装置の製造方法を定めたフローチャートである。
【図１１】図１１は、本発明の第２の実施の形態に係る棚を下側から見た底面図である。
【図１２】図１２は、図１１に示す棚を蓄電池載置時に右側面側から見た斜視図である。
【図１３】図１３は、本発明の第２の実施の形態に係る蓄電池の電気的接続の一例を示す図である。
【図１４】図１４は、本発明の第３の実施の形態に係る棚の一例を蓄電池載置時に左側面側から見た斜視図である。
【図１５】図１５は、図１４に示す棚を上側から見た平面図である。
【図１６】図１６は、図１４に示す棚を下側から見た底面図である。
【図１７】図１７は、本発明の第４の実施の形態に係る電源装置の断面を示す断面図である。
【図１８】図１８は、本発明の第４の実施の形態に係る蓄電池の電気的接続の一例を示す図である。
【発明を実施するための形態】
【００１２】
最初に、本発明の実施形態の内容を列記して説明する。
【００１３】
（１）本発明の実施の形態に係る収納装置は、蓄電池の収納装置であって、蓄電池を載置可能であり、上記蓄電池を収容可能な間隔を隔てて設けられた複数の棚と、上記蓄電池と他の回路とを電気的に接続するための電池接続ケーブルとを備え、上記電池接続ケーブルは、上記蓄電池が上記棚に載置されていない状態において上記棚に取り付けられている。
【００１４】
このような構成により、収納装置が設置された後、蓄電池を棚に載置し、収納装置の製造過程で棚に取り付けられた電池接続ケーブルと蓄電池とを接続して接続作業が完了するので、接続作業を簡易化することができ、蓄電池の接続を正しく行うことができる。
【００１５】
また、蓄電池を棚に載置する前に電池接続ケーブル同士の接続作業を完了させることができるので、作業者が電圧の高い端子と接触してしまう機会を減少させることができる。これにより、蓄電池の接続を正しく行うことができ、また、作業者が高電圧により感電してしまうことを回避することができる。
【００１６】
また、重量物である蓄電池が棚に載置された状態の収納装置を運搬する場合、収納装置には相当の強度が要求される。上記構成では、蓄電池が棚に載置されていない状態の収納装置を設置した後、当該収納装置における棚に蓄電池を載置することにより、相当の強度まで強度を上げた収納装置を製造する必要がなくなり、収納装置の軽量化および低コスト化を図ることができる。
【００１７】
（２）好ましくは、上記電池接続ケーブルには、上記蓄電池と他の上記棚に載置される上記蓄電池とを電気的に接続するための棚間ケーブルが含まれる。
【００１８】
このような構成により、たとえば、蓄電池が直列に接続される場合において、高電圧が発生し得る端子同士を、蓄電池の棚への載置前に棚間ケーブルを用いて接続しておくことができるので、作業者が電圧の高い端子と接触してしまう機会を減少させることができる。
【００１９】
また、棚間ケーブルの長さを棚の間隔に応じた長さに揃えることができるので、棚間ケーブルの仕様を統一することができる。これにより、棚間ケーブルの製造コストおよび配線作業の工数を減少させることができる。
【００２０】
（３）好ましくは、上記棚は複数の蓄電池を載置可能であり、上記電池接続ケーブルには、同じ上記棚に対応する上記蓄電池間または上記蓄電池と他の回路とを電気的に接続するための棚内ケーブルが含まれる。
【００２１】
このような構成により、棚における棚内ケーブルの配線を、棚および蓄電池の空間的な配置に応じた態様の配線とすることができる。これにより、棚内ケーブルを用いて、同じ棚に対応する蓄電池間または蓄電池と他の回路とを効率よく配線することができる。
【００２２】
また、たとえば、棚内ケーブルが取り付けられる棚が共通化されている場合には、棚内ケーブルの仕様を統一することができるので、棚内ケーブルの製造コストおよび配線作業の工数を減少させることができる。
【００２３】
（４）好ましくは、上記収納装置は、さらに、上記蓄電池が上記棚に載置されていない状態において上記棚に固定され、同じ上記棚に対応する回路間に接続されるヒューズを備える。
【００２４】
このような構成により、収納装置を設置する現場でのヒューズの設置作業を不要とすることができるので、現場での工数を削減することができる。
【００２５】
また、ヒューズの接続先の回路に対応する適切な位置にヒューズを固定することができるので、たとえば、複数のヒューズを１か所にまとめて配置する場合と比べて、短い電池接続ケーブルを用いた簡易な配線が可能となり、また、ヒューズと回路との対応関係を容易に認識することができる。
【００２６】
また、ヒューズは、定格以上の電流が流れると溶断するので、電池接続ケーブルおよび回路等を定格以上の電流から保護することができる。
【００２７】
（５）好ましくは、上記収納装置は、さらに、上記蓄電池が上記棚に載置されていない状態において上記棚に固定され、上記電池接続ケーブルを上記棚に取り付けるためのケーブル取り付け部を備える。
【００２８】
このように、棚および電池接続ケーブルをケーブル取り付け部を用いて棚に固定する構成により、たとえば電池接続ケーブルの配線が変更になる場合においても、ケーブル取り付け部の配置を変更することにより、このような仕様変更に対して柔軟に対応することができる。
【００２９】
また、たとえば、ケーブル取り付け部が電池接続ケーブルを棚に取り付ける目的以外の役割を有している場合、棚の周辺に取り付けられる部品の点数を削減することができ、また、棚の周辺の空間を有効活用することができる。
【００３０】
（６）好ましくは、上記収納装置は、さらに、上記棚に載置される上記蓄電池を挟むことにより固定し、変位することにより固定対象の上記蓄電池のサイズを変更可能な蓄電池固定部を備える。
【００３１】
このような構成により、たとえば仕様変更により棚に載置される蓄電池の種類および形状が変更され、固定対象の蓄電池のサイズが変わる場合であっても、同じ棚を用いて異なるサイズの蓄電池を固定することができる。これにより、棚の仕様を統一することができるので、蓄電池の仕様変更に対応するためのコストを削減することができる。
【００３２】
（７）好ましくは、上記棚は複数の蓄電池を載置可能であり、上記電池接続ケーブルには、同じ上記棚に対応する上記蓄電池間または上記蓄電池と他の回路とを電気的に接続するための棚内ケーブル、および上記蓄電池と他の上記棚に載置される上記蓄電池とを電気的に接続するための棚間ケーブルが含まれ、上記棚内ケーブルは、上記棚に載置される複数の上記蓄電池を電気的に直列に接続するために設けられ、上記棚間ケーブルは、上記棚に載置される上記蓄電池と他の上記棚に載置される上記蓄電池とを電気的に直列または並列に接続するために設けられる。
【００３３】
このような構成により、異なる棚に載置される蓄電池同士の電気的な接続と、これらの棚の空間的な配置とを対応させることができるので、収納装置における各蓄電池の電気的な接続について、個々の蓄電池単位で考えることなく、各棚に載置される蓄電池の組を１単位として直観的に判断することができる。
【００３４】
これにより、たとえば、電気的な接続に関し仕様の異なる収納装置を設計する場合において、電気的な接続以外の機構設計等を共通化することができる。そして、棚内ケーブルおよび棚間ケーブルの接続を変更することにより、電気的な接続の仕様の異なる収納装置を設計することができる。したがって、設計コストおよび製造コストを削減することができる。
【００３５】
（８）好ましくは、上記棚は複数の蓄電池を載置可能であり、上記電池接続ケーブルには、同じ上記棚に対応する上記蓄電池間または上記蓄電池と他の回路とを電気的に接続するための棚内ケーブルが含まれ、上記棚内ケーブルの接続対象には、上記棚内ケーブルが取り付けられた上記棚に載置される上記蓄電池、または上記棚内ケーブルが取り付けられた上記棚の１段下の上記棚に載置される上記蓄電池が含まれる。
【００３６】
このような構成により、棚内ケーブルを用いた蓄電池の配線を棚および蓄電池の空間的な配置に基づいて容易に行うことができる。
【００３７】
また、棚内ケーブルの接続対象となる蓄電池が、棚内ケーブルが取り付けられた棚に近い場所に位置するので、棚内ケーブルを短くすることができる。これにより、棚内ケーブルのインピーダンスを下げて電力損失を低減するとともに、製造コストを下げることができる。
【００３８】
（９）好ましくは、上記収納装置は、さらに、上記電池接続ケーブルの接続先となる上記蓄電池の端子を示す識別子を備える。
【００３９】
このような構成により、接続作業において、作業者は、電池接続ケーブルの接続先となる蓄電池の端子を容易に認識することができるので、蓄電池の接続をより正しく行うことができる。
【００４０】
（１０）好ましくは、上記収納装置は、さらに、上記蓄電池の端子に接続される上記電池接続ケーブルの端部、の反対側の端部が接続されたケーブル接続部を備え、上記ケーブル接続部は、上記蓄電池の上記端子の位置に対応するような位置に設けられている。
【００４１】
このような構成により、接続作業において、作業者は、電池接続ケーブルの接続対象となる蓄電池を容易に判断することができる。
【００４２】
（１１）好ましくは、上記収納装置は、さらに、上記棚に対して脱着可能であり、上記電池接続ケーブルに接続された部品が取り付けられたパネルを備える。
【００４３】
このような構成により、たとえば、棚に載置される蓄電池の種類および配置等が変更される場合においても、パネルを別途製作することにより対応することができるので、同じ棚をそのまま使用することができる。これにより、棚の仕様を統一することができる。
【００４４】
また、重量物である蓄電池を載置するための強度が要求され、かつ重量物である棚を加工または製造する代わりに、要求される強度が低くかつ軽量のパネルを加工または製造すればよいので、製造コストを下げるとともに、作業性を向上させることができる。
【００４５】
（１２）好ましくは、上記収納装置において、上記収納装置の外部回路との接続部から各上記棚に載置される上記蓄電池を経由した上記接続部までの上記電池接続ケーブルによる各経路、のインピーダンスが略同じである。
【００４６】
このような構成により、たとえば、各棚に載置された蓄電池を充電または放電させる場合において、いずれの蓄電池に対しても略同じ電圧をそれぞれ印加または出力させることができるので、蓄電池の寿命を延ばすことができる。
【００４７】
（１３）本発明の実施の形態に係る電源装置は、１または複数の蓄電池と、上記蓄電池の収納装置とを備え、上記収納装置は、上記蓄電池を載置可能であり、上記蓄電池を収容可能な間隔を隔てて設けられた複数の棚と、上記蓄電池と他の回路とを電気的に接続するための電池接続ケーブルとを含み、上記電池接続ケーブルは、上記蓄電池が上記棚に載置されていない状態において上記棚に取り付けられている。
【００４８】
このような構成により、収納装置が設置された後、蓄電池を棚に載置し、収納装置の製造過程で棚に取り付けられた電池接続ケーブルと蓄電池とを接続して接続作業が完了するので、接続作業を簡易化することができ、蓄電池の接続を正しく行うことができる。
【００４９】
また、蓄電池を棚に載置する前に電池接続ケーブル同士の接続作業を完了させることができるので、作業者が電圧の高い端子と接触してしまう機会を減少させることができる。これにより、蓄電池の接続を正しく行うことができ、また、作業者が高電圧により感電してしまうことを回避することができる。
【００５０】
（１４）本発明の実施の形態に係る電源装置の製造方法は、蓄電池の収納装置を製造するステップと、上記収納装置を設置して蓄電池を収納するステップとを含み、上記収納装置は、上記蓄電池を載置可能であり、上記蓄電池を収容可能な間隔を隔てて設けられた複数の棚と、上記蓄電池と他の回路とを電気的に接続するための電池接続ケーブルとを備え、上記電池接続ケーブルは、上記蓄電池が上記棚に載置されていない状態において上記棚に取り付けられており、上記蓄電池を収納するステップにおいては、上記蓄電池を上記棚に載置するとともに、上記蓄電池と上記棚に取り付けられた上記電池接続ケーブルとを接続する。
【００５１】
このような構成により、収納装置が設置された後、蓄電池を棚に載置し、収納装置の製造過程で棚に取り付けられた電池接続ケーブルと蓄電池とを接続して接続作業が完了するので、接続作業を簡易化することができ、蓄電池の接続を正しく行うことができる。
【００５２】
また、蓄電池を棚に載置する前に電池接続ケーブル同士の接続作業を完了させることができるので、作業者が電圧の高い端子と接触してしまう機会を減少させることができる。これにより、蓄電池の接続を正しく行うことができ、また、作業者が高電圧により感電してしまうことを回避することができる。
【００５３】
また、重量物である蓄電池が棚に載置された状態の収納装置を運搬する場合、収納装置には相当の強度が要求される。上記方法では、蓄電池が棚に載置されていない状態の収納装置を設置した後、当該収納装置における棚に蓄電池を載置することにより、相当の強度まで強度を上げた収納装置を製造する必要がなくなり、収納装置の軽量化および低コスト化を図ることができる。
【００５４】
以下、本発明の実施の形態について図面を用いて説明する。なお、図中同一または相当部分には同一符号を付してその説明は繰り返さない。
【００５５】
＜第１の実施の形態＞
［蓄電システム］
図１は、本発明の第１の実施の形態に係る蓄電システムの構成を示す図である。
【００５６】
図１を参照して、蓄電システム４０１は、発電装置５１１と、パワーコンディショナ５１２と、負荷５１３と、ＢＭＳ（Battery Management System）５０１と、電源装置１０１とを備える。パワーコンディショナ５１２は、コンバータ回路５３１と、インバータ回路５３３と、双方向コンバータ回路５３４とを含む。電源装置１０１は、蓄電池Ｂ１１〜Ｂ１４，Ｂ２１〜Ｂ２４，Ｂ３１〜Ｂ３４，Ｂ４１〜Ｂ４４を含む。以下、蓄電池Ｂ１１〜Ｂ１４，Ｂ２１〜Ｂ２４，Ｂ３１〜Ｂ３４，Ｂ４１〜Ｂ４４の各々を蓄電池Ｂとも称する。
【００５７】
なお、図１では、１つの発電装置５１１を代表的に示しているが、複数の発電装置５１１が設けられてもよい。また、図１では、１つの電源装置１０１を代表的に示しているが、複数の電源装置１０１が設けられてもよい。また、図１では、１つの負荷５１３を代表的に示しているが、複数の負荷５１３が設けられてもよい。
【００５８】
蓄電システム４０１は、たとえば、発電電力が変動する太陽光発電等から出力されるエネルギーのバッファ、および停電対策のために用いられ、事業所等に設置される。
【００５９】
より詳細には、蓄電システム４０１における発電装置５１１は、たとえば太陽電池モジュール５１４を含む。太陽電池モジュール５１４は、たとえば、複数組の太陽電池パネルにより構成される。各組の太陽電池パネルは、たとえば、太陽光を受けると、受けた太陽光のエネルギーを直流電力に変換し、変換した直流電力をパワーコンディショナ５１２へ出力する。なお、発電装置５１１は、風力発電装置等の他の発電可能な装置であってもよい。
【００６０】
パワーコンディショナ５１２は、発電装置５１１から受けた電力を変換し、変換した電力を負荷５１３およびＢＭＳ５０１へ出力する。
【００６１】
より詳細には、パワーコンディショナ５１２におけるコンバータ回路５３１は、発電装置５１１と、インバータ回路５３３および双方向コンバータ回路５３４との間に接続されている。コンバータ回路５３１は、発電装置５１１から受ける直流電力すなわち直流電圧を昇圧し、昇圧した電圧をインバータ回路５３３および双方向コンバータ回路５３４へ出力する。
【００６２】
インバータ回路５３３は、コンバータ回路５３１および負荷５１３の間に接続されている。インバータ回路５３３は、コンバータ回路５３１から受けた直流電圧から交流電圧を生成し、生成した交流電圧を負荷５１３へ出力する。
【００６３】
負荷５１３は、たとえば、通信機器または監視カメラであり、インバータ回路５３３から受ける交流電圧により動作する。
【００６４】
双方向コンバータ回路５３４は、コンバータ回路５３１およびＢＭＳ５０１の間に接続されている。双方向コンバータ回路５３４は、たとえば、電源装置１０１における各蓄電池Ｂの電圧および温度を監視し、監視結果に基づいて各蓄電池Ｂの充放電制御を行う。
【００６５】
より詳細には、双方向コンバータ回路５３４は、各蓄電池Ｂを放電させている場合において、各蓄電池Ｂの電圧が復帰電圧値まで下がると、各蓄電池Ｂを充電する。この際、双方向コンバータ回路５３４は、コンバータ回路５３１から受ける直流電圧を昇圧または降圧することで、各蓄電池Ｂを充電することが可能な直流電圧を生成し、ＢＭＳ５０１経由で電源装置１０１へ出力する。
【００６６】
また、双方向コンバータ回路５３４は、各蓄電池Ｂを充電している場合において、各蓄電池Ｂの電圧が上限電圧値まで上がると、各蓄電池Ｂを放電させる。この際、双方向コンバータ回路５３４は、ＢＭＳ５０１経由で電源装置１０１から受ける直流電圧を昇圧または降圧し、インバータ回路５３３へ出力する。また、双方向コンバータ回路５３４は、たとえば、各蓄電池Ｂの温度に応じて復帰電圧値および上限電圧値を変更する。
【００６７】
ＢＭＳ５０１は、双方向コンバータ回路５３４および電源装置１０１の間に接続されている。ＢＭＳ５０１は、電源装置１０１における各蓄電池Ｂの電圧および温度を監視し、監視結果に基づいて各蓄電池Ｂの異常を検知する。
【００６８】
具体的には、ＢＭＳ５０１は、双方向コンバータ回路５３４および電源装置１０１間の電気的な接続および非接続をリレーにより切り替える。たとえば、ＢＭＳ５０１は、蓄電池Ｂ１１において異常が発生した場合、双方向コンバータ回路５３４および蓄電池Ｂ１１間を電気的に切断する。これにより、異常を示す蓄電池Ｂ１１を蓄電システム４０１から電気的に切り離すことが可能となる。
【００６９】
電源装置１０１における蓄電池Ｂは、双方向コンバータ回路５３４の制御に従い充電および放電を行う。蓄電池Ｂは、具体的には、たとえばリチウムイオン２次電池または鉛蓄電池である。蓄電池Ｂの重さは、十キログラムから百キログラム程度である。
【００７０】
蓄電池Ｂは、陽極と陰極とを有する。具体的には、蓄電池Ｂ１１〜Ｂ１４，Ｂ２１〜Ｂ２４，Ｂ３１〜Ｂ３４，Ｂ４１〜Ｂ４４は、それぞれ陽極ＴＰ１１〜ＴＰ１４，ＴＰ２１〜ＴＰ２４，ＴＰ３１〜ＴＰ３４，ＴＰ４１〜ＴＰ４４と、陰極ＴＭ１１〜ＴＭ１４，ＴＭ２１〜ＴＭ２４，ＴＭ３１〜ＴＭ３４，ＴＭ４１〜ＴＭ４４とを有する。
【００７１】
以下、陽極ＴＰ１１〜ＴＰ１４，ＴＰ２１〜ＴＰ２４，ＴＰ３１〜ＴＰ３４，ＴＰ４１〜ＴＰ４４の各々を陽極ＴＰとも称する。陰極ＴＭ１１〜ＴＭ１４，ＴＭ２１〜ＴＭ２４，ＴＭ３１〜ＴＭ３４，ＴＭ４１〜ＴＭ４４の各々を陰極ＴＭとも称する。
【００７２】
各蓄電池Ｂは、当該各蓄電池Ｂの陽極ＴＰおよび陰極ＴＭ間の電圧に応じて、パワーコンディショナ５１２における双方向コンバータ回路５３４から充放電ケーブル１３５経由で受ける直流電力を充電し、また、当該各蓄電池Ｂが蓄積するエネルギーを直流電力として充放電ケーブル１３５経由で双方向コンバータ回路５３４へ放電する。
【００７３】
［電源装置の構成］
図２は、本発明の第１の実施の形態に係る電源装置の正面図である。
図３は、本発明の第１の実施の形態に係る電源装置の図２におけるＩＩＩ−ＩＩＩ線に沿う断面を示す断面図である。
図４は、本発明の第１の実施の形態に係る電源装置を右側面側から見た斜視図である。
【００７４】
図２を参照して、電源装置１０１は、収納装置１５１と、蓄電池Ｂ１１〜Ｂ１４，Ｂ２１〜Ｂ２４，Ｂ３１〜Ｂ３４，Ｂ４１〜Ｂ４４とを備える。収納装置１５１は、各部材を収容するケーシング１０２と、前側の扉１０４ＦＷ，１０４ＦＥと、後側の扉１０４ＲＷ，１０４ＲＥと、支柱１１１ＦＷ，１１１ＦＥと、棚１２１Ｓ０〜１２１Ｓ５と装置端子台１６２とを備える。収納装置１５１は、その後側に、図示しない支柱１１１ＲＷ，１１１ＲＥを備える。また、収納装置１５１は、支柱１１１ＦＷ，１１１ＲＷの間に図示しない亘り板２２４Ｗ０〜２２４Ｗ５と、支柱１１１ＦＥ，１１１ＲＥの間に図示しない亘り板２２４Ｅ０〜２２４Ｅ５とを備える。
【００７５】
以下、扉１０４ＦＷ，１０４ＦＥ，１０４ＲＷ，１０４ＲＥの各々を扉１０４とも称する。支柱１１１ＦＷ，１１１ＦＥ，１１１ＲＷ，１１１ＲＥの各々を支柱１１１とも称する。棚１２１Ｓ０〜１２１Ｓ５の各々を棚１２１とも称する。
【００７６】
図３では、紙面に対して奥側が収納装置１５１の右側に相当し、また、紙面に対して手前側が収納装置１５１の左側に相当する。図３を参照して、収納装置１５１は、その前側に、コネクタ付きパネル２０１Ｆ０〜２０１Ｆ３を備える。収納装置１５１は、その後側に、２０１Ｒ０〜２０１Ｒ３を備える。収納装置１５１は、その左側に、コネクタ基部（ケーブル接続部、ケーブル取り付け部および識別子）１４１ＦＷ１〜１４１ＦＷ４，１４１ＲＷ１〜１４１ＲＷ４と、コネクタ差込部（ケーブル接続部およびケーブル取り付け部）１４２ＦＷ１〜１４２ＦＷ４，１４２ＲＷ１〜１４２ＲＷ４と、電池接続ケーブル１４５ＦＷＰ１〜１４５ＦＷＰ４，１４５ＲＷＰ１〜１４５ＲＷＰ４，１４５ＦＷＭ１〜１４５ＦＷＭ４，１４５ＲＷＭ１〜１４５ＲＷＭ４と、電池接続ケーブル１３２Ｐ１２，１３２Ｐ２３，１３２Ｐ３４，１３２Ｐ４ｂ，１３２Ｍ１２，１３２Ｍ２３，１３２Ｍ３４，１３２Ｍ１ｂと、棚間端子台（ケーブル取り付け部）１６１Ｃ１〜１６１Ｃ４と、固定ベルト１６５ＦＷ１〜１６５ＦＷ４，１６５ＲＷ１〜１６５ＲＷ４とを備える。また、収納装置１５１は、その右側に、図示しないコネクタ基部（ケーブル接続部、ケーブル取り付け部および識別子）１４１ＦＥ１〜１４１ＦＥ４，１４１ＲＥ１〜１４１ＲＥ４と、コネクタ差込部（ケーブル接続部およびケーブル取り付け部）１４２ＦＥ１〜１４２ＦＥ４，１４２ＲＥ１〜１４２ＲＥ４と、電池接続ケーブル１４５ＦＥＰ１〜１４５ＦＥＰ４，１４５ＲＥＰ１〜１４５ＲＥＰ４，１４５ＦＥＭ１〜１４５ＦＥＭ４，１４５ＲＥＭ１〜１４５ＲＥＭ４と、固定ベルト１６５ＦＥ１〜１６５ＦＥ４，１６５ＲＥ１〜１６５ＲＥ４とを備える。
【００７７】
以下、コネクタ付きパネル２０１Ｆ０〜２０１Ｆ３，２０１Ｒ０〜２０１Ｒ３の各々をコネクタ付きパネル２０１とも称する。コネクタ基部１４１ＦＷ１〜１４１ＦＷ４，１４１ＲＷ１〜１４１ＲＷ４，１４１ＦＥ１〜１４１ＦＥ４，１４１ＲＥ１〜１４１ＲＥ４の各々をコネクタ基部１４１とも称する。コネクタ差込部１４２ＦＷ１〜１４２ＦＷ４，１４２ＲＷ１〜１４２ＲＷ４，１４２ＦＥ１〜１４２ＦＥ４，１４２ＲＥ１〜１４２ＲＥ４の各々をコネクタ差込部１４２とも称する。電池接続ケーブル１４５ＦＷＰ１〜１４５ＦＷＰ４，１４５ＲＷＰ１〜１４５ＲＷＰ４，１４５ＦＥＰ１〜１４５ＦＥＰ４，１４５ＲＥＰ１〜１４５ＲＥＰ４，１４５ＦＷＭ１〜１４５ＦＷＭ４，１４５ＲＷＭ１〜１４５ＲＷＭ４，１４５ＦＥＭ１〜１４５ＦＥＭ４，１４５ＲＥＭ１〜１４５ＲＥＭ４の各々を電池接続ケーブル１４５とも称する。電池接続ケーブル１３２Ｐ１２，１３２Ｐ２３，１３２Ｐ３４，１３２Ｐ４ｂ，１３２Ｍ１２，１３２Ｍ２３，１３２Ｍ３４，１３２Ｍ１ｂの各々を電池接続ケーブル１３２とも称する。固定ベルト１６５ＦＷ１〜１６５ＦＷ４，１６５ＲＷ１〜１６５ＲＷ４，１６５ＦＥ１〜１６５ＦＥ４，１６５ＲＥ１〜１６５ＲＥ４の各々を固定ベルト１６５とも称する。
【００７８】
なお、図３において、棚間端子台１６１の位置および収納装置１５１の構造の理解を容易にするため、亘り板２２４を図示していない。また、図３では、前側の扉１０４ＦＥ，１０４ＦＷおよび後側の扉１０４ＲＥ，１０４ＲＷがケーシング１０２から取り外された状態が示されている。また、図４では、前側の扉１０４ＦＥ，１０４ＦＷがケーシング１０２から取り外された状態が示されている。
【００７９】
図２〜図４を参照して、ケーシング１０２は、たとえば、蓄電池Ｂ、支柱１１１および棚１２１を収容し、具体的には屋外型防水タイプのキュービクルである。ケーシング１０２は、天板２２１と、天板２２１から下方へ延びる側板２２２Ｅ，２２２Ｗと、天板２２１から下方へ延びかつ開口部を有する側板２２２Ｆ，２２２Ｒと、側板２２２Ｅ，２２２Ｗ，２２２Ｆ，２２２Ｒ間に亘って延びる底板２２３とを含む。
【００８０】
ケーシング１０２における前側の側板２２２Ｆおよび後側の側板２２２Ｒは、たとえば、外部からの異物、動物および水等の侵入を防止することを目的として、それぞれ水切り１０３Ｆ，１０３Ｒを有する。側板２２２Ｆ，２２２Ｒは、水切り１０３Ｆ，１０３Ｒとそれぞれ連続する。
【００８１】
ケーシング１０２では、側板２２２Ｆの水切り１０３Ｆにより囲まれた開口部３０１Ｆが形成され、側板２２２Ｒの水切り１０３Ｒにより囲まれた開口部３０１Ｒが形成される。以下、開口部３０１Ｆ，３０１Ｒの各々を開口部３０１とも称する。
【００８２】
なお、ケーシング１０２の開口部は、たとえば、収納装置１５１の前側および後側のいずれか一方にのみ形成されてもよい。また、ケーシング１０２の開口部は、たとえば、収納装置１５１の右側および左側の少なくとも一方において形成されてもよい。
【００８３】
支柱１１１は、ケーシング１０２の内部において、側板２２２Ｅ，２２２Ｗ，２２２Ｆ，２２２Ｒと略平行に配置される。支柱１１１は、具体的には１９インチラックの支柱である。支柱１１１は、たとえば、中空の角材またはＬ字型のアングル材から形成される。支柱１１１の下端は、たとえば底板２２３に固定される。
【００８４】
亘り板２２４は、棚１２１の支持および各支柱１１１間の補強のために設けられ、各支柱１１１間に亘って固定される。具体的には、亘り板２２４Ｅ０〜２２４Ｅ５は、支柱１１１ＦＥ，１１１ＲＥ間に亘って固定されている。亘り板２２４Ｗ０〜２２４Ｗ５は、支柱１１１ＦＷ，１１１ＲＷ間に亘って固定されている。
【００８５】
より詳細には、支柱１１１に亘り板２２４を固定する位置は調整可能である。亘り板２２４は、少なくとも上面が底板２２３と略平行になるように支柱１１１に固定される。また、亘り板２２４Ｅ０〜２２４Ｅ５と、亘り板２２４Ｗ０〜２２４Ｗ５とは、それぞれ略同じ高さ位置となるように、支柱１１１に固定される。
【００８６】
亘り板２２４Ｅ０〜２２４Ｅ５の上面および亘り板２２４Ｗ０〜２２４Ｗ５の上面には、それぞれ棚固定部材２２５ＦＥ０〜２２５ＦＥ５，２２５ＲＥ０〜２２５ＲＥ５および棚固定部材２２５ＦＷ０〜２２５ＦＷ５，２２５ＲＷ０〜２２５ＲＷ５により棚１２１Ｓ０〜１２１Ｓ５が脱着可能に固定される。
【００８７】
棚固定部材２２５ＦＥ０〜２２５ＦＥ５，２２５ＲＥ０〜２２５ＲＥ５，２２５ＦＷ０〜２２５ＦＷ５，２２５ＲＷ０〜２２５ＲＷ５は、たとえばおねじである。
【００８８】
棚１２１は、たとえば１９インチラックの棚である。棚１２１の上面には蓄電池Ｂを載置することが可能である。具体的には、棚１２１Ｓ１，１２１Ｓ２，１２１Ｓ３，１２１Ｓ４の上面には、それぞれ蓄電池Ｂ１１〜Ｂ１４，Ｂ２１〜Ｂ２４，Ｂ３１〜Ｂ３４，Ｂ４１〜Ｂ４４を載置することが可能である。蓄電池Ｂの形状はたとえば直方体である。
【００８９】
なお、蓄電池Ｂの形状は直方体に限定するものではなく、たとえば、立方体であってもよいし、丸型であってもよい。また、棚１２１Ｓ０は、その上側において蓄電池Ｂを載置可能なスペースを有している場合、棚１２１Ｓ１〜１２１Ｓ４と同様に蓄電池Ｂを載置することが可能である。
【００９０】
また、各棚１２１において、各蓄電池Ｂは、陰極ＴＭ，陽極ＴＰが開口部３０１に近くなる向きで配置される。具体的には、蓄電池Ｂ１３，Ｂ１４は、棚１２１Ｓ１において、図２に示すように陽極ＴＰ１３，陰極ＴＭ１３，陽極ＴＰ１４，陰極ＴＭ１４が開口部３０１Ｆに近くなる向きで配置される。また、蓄電池Ｂ１１，Ｂ１２は、棚１２１Ｓ１において、陽極ＴＰ１１，陰極ＴＭ１１，陽極ＴＰ１２，陰極ＴＭ１２が開口部３０１Ｒに近くなる向きで配置される。蓄電池Ｂ２１〜Ｂ２４，Ｂ３１〜Ｂ３４，Ｂ４１〜Ｂ４４の配置についても、蓄電池Ｂ１１〜Ｂ１４と同様である。
【００９１】
棚１２１Ｓ０〜１２１Ｓ３には、たとえば、それぞれコネクタ付きパネル２０１Ｆ０〜２０１Ｆ３，２１２Ｒ０〜２０１Ｒ３が脱着可能に固定される。具体的には、図２に示すように、棚１２１Ｓ０、１２１Ｓ１、１２１Ｓ２および１２１Ｓ３の前面には、それぞれ、パネル固定ねじ２０２Ｆ０１〜２０２Ｆ０４、２０２Ｆ１１〜２０２Ｆ１４、２０２Ｆ２１〜２０２Ｆ２４および２０２Ｆ３１〜２０２Ｆ３４により、コネクタ付きパネル２０１Ｆ０、２０１Ｆ１、２０１Ｆ２および２０１Ｆ３が脱着可能に固定される。
【００９２】
棚１２１Ｓ０、１２１Ｓ１、１２１Ｓ２および１２１Ｓ３の後面には、それぞれ、パネル固定ねじ２０２Ｒ０１〜２０２Ｒ０４、２０２Ｒ１１〜２０２Ｒ１４、２０２Ｒ２１〜２０２Ｒ２４および２０２Ｒ３１〜２０２Ｒ３４により、コネクタ付きパネル２０１Ｒ０、２０１Ｒ１、２０１Ｒ２および２０１Ｒ３が脱着可能に固定される。
【００９３】
各棚１２１は、たとえば蓄電池Ｂを収容可能な間隔を隔てて設けられる。具体的には、棚１２１の上面と当該棚１２１の１段上の棚１２１に固定されたコネクタ付きパネル２０１の下面との間隔は、たとえば、亘り板２２４の高さ位置を調整することにより、蓄電池Ｂの高さより大きくする。これにより、当該棚１２１の上面において、蓄電池Ｂを収容することが可能となる。
【００９４】
［棚の構成］
図５は、本発明の第１の実施の形態に係る棚の一例を蓄電池載置時に右側面側から見た斜視図である。
図６は、図５に示す棚を下側から見た底面図である。
【００９５】
図５〜図６には、棚１２１Ｓ０が代表的に示されている。一部図示しない棚１２１Ｓ１、および図示しない棚１２１Ｓ２〜１２１Ｓ５についても図５〜図６に示す棚１２１Ｓ０と同様である。
【００９６】
図５を参照して、棚１２１Ｓ０には、汎用穴１２７ＦＷ０，１２７ＦＥ０，１２７ＲＷ０，１２７ＲＥ０と、汎用穴１２８Ｗ０，１２８Ｅ０と、汎用穴１２９Ｗ０，１２９Ｅ０とが形成される。棚１２１Ｓ１〜１２１Ｓ５には、それぞれ、汎用穴１２７ＦＷ１〜１２７ＦＷ５，１２７ＦＥ１〜１２７ＦＥ５，１２７ＲＷ１〜１２７ＲＷ５，１２７ＲＥ１〜１２７ＲＥ５と、汎用穴１２８Ｗ１〜１２８Ｗ５，１２８Ｅ１〜１２８Ｅ５と、汎用穴１２９Ｗ１〜１２９Ｗ５，１２９Ｅ１〜１２９Ｅ５とが形成される。
【００９７】
以下、汎用穴１２７ＦＷ０〜１２７ＦＷ５，１２７ＦＥ０〜１２７ＦＥ５，１２７ＲＷ０〜１２７ＲＷ５，１２７ＲＥ０〜１２７ＲＥ５の各々を汎用穴１２７とも称する。汎用穴１２８Ｗ０〜１２８Ｗ５，１２８Ｅ０〜１２８Ｅ５の各々を汎用穴１２８とも称する。汎用穴１２９Ｗ０〜１２９Ｗ５，１２９Ｅ０〜１２９Ｅ５の各々を汎用穴１２９とも称する。
【００９８】
図６を参照して、収納装置１５１は、棚１２１Ｓ０について、電池接続ケーブル１３１Ｐａ１，１３１Ｐｂ１，１３１Ｐｃ１，１３１Ｐｄ１，１３１Ｐｅ１と、ワイヤークリップ（ケーブル取り付け部）１６３Ｃａ０，１６３Ｃｂ０，１６３Ｃｃ０，１６３Ｃｄ０とを備える。また、収納装置１５１は、棚１２１Ｓ１〜１２１Ｓ３について、電池接続ケーブル１３１Ｐａ２〜１３１Ｐａ４，１３１Ｐｂ２〜１３１Ｐｂ４，１３１Ｐｃ２〜１３１Ｐｃ４，１３１Ｐｄ２〜１３１Ｐｄ４，１３１Ｐｅ２〜１３１Ｐｅ４と、ワイヤークリップ（ケーブル取り付け部）１６３Ｃａ１〜１６３Ｃａ３，１６３Ｃｂ１〜１６３Ｃｂ３，１６３Ｃｃ１〜１６３Ｃｃ３，１６３Ｃｄ１〜１６３Ｃｄ３とを備える。
【００９９】
以下、電池接続ケーブル１３１Ｐａ１〜１３１Ｐａ４，１３１Ｐｂ１〜１３１Ｐｂ４，１３１Ｐｃ１〜１３１Ｐｃ４，１３１Ｐｄ１〜１３１Ｐｄ４，１３１Ｐｅ１〜１３１Ｐｅ４の各々を電池接続ケーブル１３１とも称する。ワイヤークリップ１６３Ｃａ０〜１６３Ｃａ３，１６３Ｃｂ０〜１６３Ｃｂ３，１６３Ｃｃ０〜１６３Ｃｃ３，１６３Ｃｄ０〜１６３Ｃｄ３の各々をワイヤークリップ１６３とも称する。
【０１００】
図５に示すように、棚１２１Ｓ０における左前部、右前部、右後部および左後部において、それぞれ汎用穴１２７ＦＷ０、１２７ＦＥ０、１２７ＲＥ０および１２７ＲＷ０が形成される。
【０１０１】
棚１２１Ｓ０において、汎用穴１２７ＦＷ０，１２７ＲＷ０の間に汎用穴１２８Ｗ０が形成される。また、棚１２１Ｓ０において、汎用穴１２７ＦＥ０，１２７ＲＥ０の間に汎用穴１２８Ｅ０が形成される。
【０１０２】
棚１２１Ｓ０において、汎用穴１２８Ｗ０と棚１２１Ｓ０の左側端部との間に汎用穴１２９Ｗ０が形成される。また、棚１２１Ｓ０において、汎用穴１２８Ｅ０と棚１２１Ｓ０の右側端部との間に汎用穴１２９Ｅ０が形成される。
【０１０３】
固定ベルト１６５は、たとえば、蓄電池Ｂが棚１２１の上面に載置された場合、汎用穴１２７，１２８を経由して蓄電池Ｂを棚１２１に固定する。
【０１０４】
電池接続ケーブル１３１，１４５は、たとえば、蓄電池Ｂと他の回路とを電気的に接続するために設けられる。具体的には、電池接続ケーブル１３１，１４５は、棚内ケーブルであり、たとえば、同じ棚１２１に対応する蓄電池Ｂ間または蓄電池Ｂと他の回路とを電気的に接続するために設けられる。
【０１０５】
ここで、他の回路とは、棚１２１に固定された回路だけでなく、たとえば、当該棚１２１に固定されたコネクタ付きパネル２０１に直接的にまたは間接的に固定された回路を意味する。具体的には、他の回路には、たとえば、蓄電池Ｂ、コネクタ基部１４１、コネクタ差込部１４２および棚間端子台１６１が含まれる。
【０１０６】
［棚内ケーブルの棚への取り付け］
蓄電池Ｂが棚１２１に載置されていない状態の収納装置１５１において、棚間端子台１６１は、たとえば、棚１２１に固定される。具体的には、棚間端子台１６１Ｃ１は、たとえば、図６に示すように棚１２１Ｓ０の下面における左側端部の近傍にボルトおよびナットにより脱着可能に固定される。
【０１０７】
棚間端子台１６１は、たとえば、電池接続ケーブル１３１，１３２を接続するための複数の端子を有する。具体的には、棚間端子台１６１は、端子Ｔ１１〜Ｔ１４，Ｔ２１〜Ｔ２４を有する。端子Ｔ１１，Ｔ２１間、端子Ｔ１２，Ｔ２２間、端子Ｔ１３，Ｔ２３間、および端子Ｔ１４，Ｔ２４間は、それぞれ電気的に接続されている。以下、端子Ｔ１１〜Ｔ１４，Ｔ２１〜Ｔ２４の各々を棚間端子Ｔとも称する。
【０１０８】
棚間端子台１６１の端子Ｔ１１〜Ｔ１４間は電気的に切断されているが、たとえば配線を用いて一部または全部を電気的に接続することも可能である。同様に、棚間端子台１６１の端子Ｔ２１〜Ｔ２４間は電気的に切断されているが、たとえば配線を用いて電気的に接続することも可能である。
【０１０９】
蓄電池Ｂが棚１２１に載置されていない状態の収納装置１５１において、コネクタ基部１４１は、たとえば、コネクタ付きパネル２０１を介して棚１２１に固定される。具体的には、コネクタ基部１４１は、たとえば、ボルトおよびナットによりコネクタ付きパネル２０１に対して脱着可能に固定される。そして、コネクタ基部１４１は、たとえば、電池接続ケーブル１３１をコネクタ付きパネル２０１に取り付ける。
【０１１０】
コネクタ基部１４１は、たとえば、蓄電池Ｂに対応するような位置に設けられている。具体的には、図５に示すように、コネクタ基部１４１ＦＷ１，１４１ＦＥ１は、それぞれ蓄電池Ｂ１４，Ｂ１３に対応するような位置、すなわちコネクタ付きパネル２０１Ｆ０において蓄電池Ｂ１４，Ｂ１３の上側の位置に固定される。
【０１１１】
また、収納装置１５１の後側においても、コネクタ基部１４１ＲＷ１，１４１ＲＥ１は、それぞれコネクタ付きパネル２０１Ｒ０において蓄電池Ｂ１１，Ｂ１２の上側の位置に固定される。
【０１１２】
電池接続ケーブル１４５が固定されるコネクタ差込部１４２は、たとえば、対応のコネクタ基部１４１と係合可能である。たとえば、蓄電池Ｂが棚１２１に載置されていない状態の収納装置１５１において、コネクタ差込部１４２が対応のコネクタ基部１４１と係合することにより、電池接続ケーブル１４５は、棚１２１に固定されたコネクタ付きパネル２０１に取り付けられる。
【０１１３】
コネクタ基部１４１は、第１極および第２極を有する。コネクタ差込部１４２は、第１極および第２極を有する。コネクタ基部１４１およびコネクタ差込部１４２が係合すると、コネクタ基部１４１の第１極およびコネクタ差込部１４２の第１極、ならびにコネクタ基部１４１の第２極およびコネクタ差込部１４２の第２極が電気的に接続される。
【０１１４】
また、コネクタ基部１４１およびコネクタ差込部１４２の係合が解除されると、コネクタ基部１４１の第１極およびコネクタ差込部１４２の第１極間、ならびにコネクタ基部１４１の第２極およびコネクタ差込部１４２の第２極間が電気的に切断される。
【０１１５】
蓄電池Ｂが棚１２１に載置されていない状態の収納装置１５１において、ワイヤークリップ１６３は、たとえば、棚１２１に固定されている。ワイヤークリップ１６３は、たとえば、電池接続ケーブル１３１を当該棚１２１に取り付ける。ワイヤークリップ１６３は、たとえば電池接続ケーブル１３１の一部を挟むことにより電池接続ケーブル１３１を脱着可能に棚１２１に取り付ける。
【０１１６】
具体的には、ワイヤークリップ１６３Ｃａ０および１６３Ｃｄ０は、たとえば、図６に示すように棚１２１Ｓ０の下面において、コネクタ基部１４１ＦＷ１と棚間端子台１６１Ｃ１との間、およびコネクタ基部１４１ＲＷ１と棚間端子台１６１Ｃ１との間にそれぞれ接着される。
【０１１７】
ワイヤークリップ１６３Ｃｂ０，１６３Ｃｃ０は、たとえば、図６に示すように棚１２１Ｓ０の下面におけるコネクタ基部１４１ＦＥ１およびコネクタ基部１４１ＲＥ１の間において間隔を空けてそれぞれ接着される。
【０１１８】
蓄電池Ｂが棚１２１に載置されていない状態の収納装置１５１において、電池接続ケーブル１３１は、たとえば、棚１２１に取り付けられる。具体的には、棚１２１Ｓ０において、図６に示すように電池接続ケーブル１３１Ｐａ１は、たとえばねじを用いて脱着可能に棚間端子台１６１Ｃ１の端子Ｔ１２に接続された第１端と、コネクタ基部１４１ＦＷ１の第１極に接続された第２端とを有する。電池接続ケーブル１３１Ｐａ１は、ワイヤークリップ１６３Ｃａ０によって脱着可能に棚１２１Ｓ０に固定される。
【０１１９】
電池接続ケーブル１３１Ｐｂ１は、コネクタ基部１４１ＦＷ１の第２極に接続された第１端と、コネクタ基部１４１ＦＥ１の第１極に接続された第２端とを有する。
【０１２０】
電池接続ケーブル１３１Ｐｃ１は、コネクタ基部１４１ＦＥ１の第２極に接続された第１端と、コネクタ基部１４１ＲＥ１の第１極に接続された第２端とを有する。電池接続ケーブル１３１Ｐｃ１は、ワイヤークリップ１６３Ｃｂ０，１６３Ｃｃ０によって脱着可能に棚１２１Ｓ０に固定される。
【０１２１】
電池接続ケーブル１３１Ｐｄ１は、コネクタ基部１４１ＲＥ１の第２極に接続された第１端と、コネクタ基部１４１ＲＷ１の第１極に接続された第２端とを有する。
【０１２２】
電池接続ケーブル１３１Ｐｅ１は、コネクタ基部１４１ＲＷ１の第２極に接続された第１端と、たとえばねじを用いて脱着可能に棚間端子台１６１Ｃ１の端子Ｔ１３に接続された第２端とを有する。電池接続ケーブル１３１Ｐｅ１は、ワイヤークリップ１６３Ｃｄ０によって脱着可能に棚１２１Ｓ０に固定される。
【０１２３】
また、図５に示すように電池接続ケーブル１４５ＦＷＭ１は、コネクタ差込部１４２ＦＷ１の第１極に接続された第１端と、脱着可能に蓄電池Ｂ１４の陰極ＴＭ１４に接続された第２端とを有する。電池接続ケーブル１４５ＦＷＰ１は、脱着可能に蓄電池Ｂ１４の陽極ＴＰ１４に接続された第１端と、コネクタ差込部１４２ＦＷ１の第２極に接続された第２端とを有する。
【０１２４】
電池接続ケーブル１４５ＦＥＭ１は、コネクタ差込部１４２ＦＥ１の第１極に接続された第１端と、脱着可能に蓄電池Ｂ１３の陰極ＴＭ１３に接続された第２端とを有する。電池接続ケーブル１４５ＦＥＰ１は、脱着可能に蓄電池Ｂ１３の陽極ＴＰ１３に接続された第１端と、コネクタ差込部１４２ＦＥ１の第２極に接続された第２端とを有する。
【０１２５】
以下、一部図示していないが、電池接続ケーブル１４５ＲＥＭ１は、コネクタ差込部１４２ＲＥ１の第１極に接続された第１端と、脱着可能に蓄電池Ｂ１２の陰極ＴＭ１２に接続された第２端とを有する。電池接続ケーブル１４５ＲＥＰ１は、脱着可能に蓄電池Ｂ１２の陽極ＴＰ１２に接続された第１端と、コネクタ差込部１４２ＲＥ１の第２極に接続された第２端とを有する。
【０１２６】
電池接続ケーブル１４５ＲＷＭ１は、コネクタ差込部１４２ＲＷ１の第１極に接続された第１端と、脱着可能に蓄電池Ｂ１１の陰極ＴＭ１１に接続された第２端とを有する。電池接続ケーブル１４５ＲＷＰ１は、脱着可能に蓄電池Ｂ１１の陽極ＴＰ１１に接続された第１端と、コネクタ差込部１４２ＲＷ１の第２極に接続された第２端とを有する。
【０１２７】
以下、電池接続ケーブル１４５において、蓄電池Ｂの端子である陽極ＴＰまたは陰極ＴＭに接続される端子を電池側端子ＴＢとも称する。具体的には、電池接続ケーブル１４５ＦＷＭ１，１４５ＦＥＭ１，１４５ＲＥＭ１，１４５ＲＷＭ１の第２端、および電池接続ケーブル１４５ＦＷＰ１，１４５ＦＥＰ１，１４５ＲＥＰ１，１４５ＲＷＰ１の第１端が電池側端子ＴＢに相当する。
【０１２８】
電池側端子ＴＢと蓄電池Ｂの端子とは、コネクタおよび圧着端子等により電気的に接続される。
【０１２９】
コネクタ基部１４１は、たとえば、棚１２１に載置された蓄電池Ｂの端子の位置に対応するような位置に設けられている。また、コネクタ基部１４１は、たとえば、当該コネクタ基部１４１に接続された電池接続ケーブル１４５の接続先となる蓄電池Ｂの端子、を示す識別子として機能するように固定される。
【０１３０】
具体的には、図５に示すように、コネクタ基部１４１ＦＷ１は、蓄電池Ｂ１４の端子である陰極ＴＭ１４，陽極ＴＰ１４の位置に対応する位置、すなわち蓄電池Ｂ１４の上側に設けられる。
【０１３１】
そして、コネクタ基部１４１ＦＷ１は、コネクタ基部１４１ＦＷ１における第１極および第２極の水平方向の並び方が、各極と電気的に接続すべき蓄電池Ｂの端子の並び方に対応するように固定される。すなわち、コネクタ基部１４１ＦＷ１は、陰極ＴＭ１４，陽極ＴＰ１４とそれぞれ接続すべき第１極，第２極が棚１２１Ｓ０の左側から順に水平方向に並ぶように固定される。
【０１３２】
また、コネクタ基部１４１ＦＥ１は、蓄電池Ｂ１３の端子である陰極ＴＭ１３，陽極ＴＰ１３の位置に対応する位置、すなわち蓄電池Ｂ１３の上側に設けられる。
【０１３３】
そして、コネクタ基部１４１ＦＥ１は、コネクタ基部１４１ＦＥ１における第１極および第２極の水平方向の並び方が、各極と電気的に接続すべき蓄電池Ｂの端子の並び方に対応するように固定される。すなわち、コネクタ基部１４１ＦＷ１は、陰極ＴＭ１３，陽極ＴＰ１３とそれぞれ接続すべき第１極，第２極が棚１２１Ｓ０の左側から順に水平方向に並ぶように固定される。
【０１３４】
したがって、コネクタ基部１４１ＦＷ１，１４１ＦＥ１における各極の水平方向の並び方と、当該各極と接続すべき蓄電池Ｂの端子の水平方向の並び方の順とが対応する。
【０１３５】
これにより、電池接続ケーブル１４５ＦＷＭ１，１４５ＦＷＰ１，１４５ＦＥＭ１，１４５ＦＥＰ１の並び方と陰極ＴＭ１４，陽極ＴＰ１４，陰極ＴＭ１３，陽極ＴＰ１３の並び方とを見比べることにより、電池接続ケーブル１４５ＦＷＭ１，１４５ＦＷＰ１，１４５ＦＥＭ１，１４５ＦＥＰ１の電池側端子ＴＢと接続すべき蓄電池Ｂの端子を容易に認識することができる。
【０１３６】
また、図示していないが棚１２１Ｓ０の後側にいても同様に、コネクタ基部１４１ＲＥ１は、蓄電池Ｂ１２の端子である陰極ＴＭ１２，陽極ＴＰ１２の位置に対応する位置、すなわち蓄電池Ｂ１２の上側に設けられる。
【０１３７】
そして、コネクタ基部１４１ＲＥ１は、コネクタ基部１４１ＲＥ１における第１極および第２極の水平方向の並び方が、各極と電気的に接続すべき蓄電池Ｂの端子の並び方に対応するように固定される。すなわち、コネクタ基部１４１ＲＥ１は、陰極ＴＭ１２，陽極ＴＰ１２とそれぞれ接続すべき第１極，第２極が棚１２１Ｓ０の右側から順に水平方向に並ぶように固定される。
【０１３８】
また、コネクタ基部１４１ＲＷ１は、蓄電池Ｂ１１の端子である陰極ＴＭ１１，陽極ＴＰ１１の位置に対応する位置、すなわち蓄電池Ｂ１１の上側に設けられる。
【０１３９】
そして、コネクタ基部１４１ＲＷ１は、コネクタ基部１４１ＲＷ１における第１極および第２極の水平方向の並び方が、各極と電気的に接続すべき蓄電池Ｂの端子の並び方に対応するように固定される。すなわち、コネクタ基部１４１ＲＷ１は、陰極ＴＭ１１，陽極ＴＰ１１とそれぞれ接続すべき第１極，第２極が棚１２１Ｓ０の右側から順に水平方向に並ぶように固定される。
【０１４０】
したがって、コネクタ基部１４１ＲＥ１，１４１ＲＷ１における各極の水平方向の並び方と、当該各極と接続すべき蓄電池Ｂの端子の水平方向の並び方の順とが対応する。
【０１４１】
これにより、電池接続ケーブル１４５ＲＥＭ１，１４５ＲＥＰ１，１４５ＲＷＭ１，１４５ＲＷＰ１の並び方と陰極ＴＭ１２，陽極ＴＰ１２，陰極ＴＭ１１，陽極ＴＰ１１の並び方とを見比べることにより、電池接続ケーブル１４５ＲＥＭ１，１４５ＲＥＰ１，１４５ＲＷＭ１，１４５ＲＷＰ１の電池側端子ＴＢと接続すべき蓄電池Ｂの端子を容易に認識することができる。
【０１４２】
これにより、未接続の蓄電池Ｂを棚１２１に載置した状況において、電池接続ケーブル１４５における電池側端子ＴＢおよび蓄電池Ｂの端子の接続作業を容易にし、かつ、接続の間違いの発生を抑制することができる。
【０１４３】
なお、本発明の第１の実施の形態に係る収納装置では、コネクタ基部１４１は、コネクタ付きパネル２０１を介して棚１２１に固定される構成であるとしたが、これに限定するものではない。コネクタ基部１４１は、たとえば、棚１２１に直接固定される構成であってもよい。
【０１４４】
また、本発明の第１の実施の形態に係る収納装置１５１では、コネクタ基部１４１における第１極，第２極が水平方向に並ぶようにコネクタ基部１４１がコネクタ付きパネル２０１を介して棚１２１に固定される構成であるとしたが、これに限定するものではない。たとえば、蓄電池Ｂの端子が垂直方向に並ぶ場合、コネクタ基部１４１における第１極，第２極が垂直方向に並ぶようにコネクタ基部１４１がコネクタ付きパネル２０１を介して棚１２１に固定される構成であってもよい。
【０１４５】
［端子台を用いて電池接続ケーブルを中継する場合の棚の構成］
図７は、本発明の第１の実施の形態に係る棚の他の例を蓄電池載置時に右側面側から見た斜視図である。
【０１４６】
図７には、棚１２１Ｓ０が代表的に示されている。一部図示しない棚１２１Ｓ１、および図示しない棚１２１Ｓ２〜１２１Ｓ５についても図７に示す棚１２１Ｓ０と同様である。
【０１４７】
図７を参照して、収納装置１５１は、棚１２１Ｓ０について、電池接続ケーブル１３３Ｐａ１，１３３Ｐｂ１，１３３Ｐｃ１，１３３Ｐｄ１，１３３Ｐｅ１を備える。また、収納装置１５１は、棚１２１Ｓ１〜１２１Ｓ３について、電池接続ケーブル１３３Ｐａ２〜１３３Ｐａ４，１３３Ｐｂ２〜１３３Ｐｂ４，１３３Ｐｃ２〜１３３Ｐｃ４，１３３Ｐｄ２〜１３３Ｐｄ４，１３３Ｐｅ２〜１３３Ｐｅ４を備える。
【０１４８】
収納装置１５１は、その前側に、棚１２１Ｓ０について、電池接続ケーブル１４６ＦＷＰ１，１４６ＦＷＭ１，１４６ＦＥＰ１，１４６ＦＥＭ１と、中継用端子台（ケーブル接続部、ケーブル取り付け部および識別子）１４４ＦＷ１，１４４ＦＥ１と、端子台付きパネル２０１ｍＦ０とを備える。また、収納装置１５１は、その前側に、棚１２１Ｓ１〜１２１Ｓ３について、電池接続ケーブル１４６ＦＷＰ２〜１４６ＦＷＰ４，１４６ＦＷＭ２〜１４６ＦＷＭ４，１４６ＦＥＰ２〜１４６ＦＥＰ４，１４６ＦＥＭ２〜１４６ＦＥＭ４と、中継用端子台（ケーブル接続部、ケーブル取り付け部および識別子）１４４ＦＷ２〜１４４ＦＷ４，１４４ＦＥ２〜１４４ＦＥ４と、端子台付きパネル２０１ｍＦ１〜２０１ｍＦ３とを備える。
【０１４９】
収納装置１５１は、その後側に、棚１２１Ｓ０について、電池接続ケーブル１４６ＲＷＰ１，１４６ＲＷＭ１，１４６ＲＥＰ１，１４６ＲＥＭ１と、中継用端子台（ケーブル接続部、ケーブル取り付け部および識別子）１４４ＲＷ１，１４４ＲＥ１と、端子台付きパネル２０１ｍＲ０とを備える。また、収納装置１５１は、その後側に、棚１２１Ｓ１〜１２１Ｓ３について、電池接続ケーブル１４６ＲＷＰ２〜１４６ＲＷＰ４，１４６ＲＷＭ２〜１４６ＲＷＭ４，１４６ＲＥＰ２〜１４６ＲＥＰ４，１４６ＲＥＭ２〜１４６ＲＥＭ４と、中継用端子台（ケーブル接続部、ケーブル取り付け部および識別子）１４４ＲＷ２〜１４４ＲＷ４，１４４ＲＥ２〜１４４ＲＥ４と、端子台付きパネル２０１ｍＲ１〜２０１ｍＲ３とを備える。
【０１５０】
以下、電池接続ケーブル１３３Ｐａ１〜１３３Ｐａ４，１３３Ｐｂ１〜１３３Ｐｂ４，１３３Ｐｃ１〜１３３Ｐｃ４，１３３Ｐｄ１〜１３３Ｐｄ４，１３３Ｐｅ１〜１３３Ｐｅ４の各々を電池接続ケーブル１３３とも称する。電池接続ケーブル１４６ＦＷＰ１〜１４６ＦＷＰ４，１４６ＦＷＭ１〜１４６ＦＷＭ４，１４６ＦＥＰ１〜１４６ＦＥＰ４，１４６ＦＥＭ１〜１４６ＦＥＭ４，１４６ＲＷＰ１〜１４６ＲＷＰ４，１４６ＲＷＭ１〜１４６ＲＷＭ４，１４６ＲＥＰ１〜１４６ＲＥＰ４，１４６ＲＥＭ１〜１４６ＲＥＭ４の各々を電池接続ケーブル１４６とも称する。中継用端子台１４４ＦＷ１〜１４４ＦＷ４，１４４ＦＥ１〜１４４ＦＥ４，１４４ＲＷ１〜１４４ＲＷ４，１４４ＲＥ１〜１４４ＲＥ４の各々を中継用端子台１４４とも称する。端子台付きパネル２０１ｍＦ０〜２０１ｍＦ３，２０１ｍＲ０〜２０１ｍＲ３の各々を端子台付きパネル２０１ｍとも称する。
【０１５１】
電池接続ケーブル１３３，１４６は、たとえば、蓄電池Ｂと他の回路とを電気的に接続するために設けられる。具体的には、電池接続ケーブル１３３，１４６は、棚内ケーブルであり、たとえば、同じ棚１２１に対応する蓄電池Ｂ間または蓄電池Ｂと他の回路とを電気的に接続するために設けられる。
【０１５２】
ここで、他の回路とは、棚１２１に固定された回路だけでなく、たとえば、当該棚１２１に固定された端子台付きパネル２０１ｍに固定された回路を意味する。具体的には、他の回路には、たとえば、蓄電池Ｂ、中継用端子台１４４および棚間端子台１６１が含まれる。
【０１５３】
棚１２１Ｓ０〜１２１Ｓ３には、たとえば、それぞれ端子台付きパネル２０１ｍＦ０〜２０１ｍＦ３，２１２ｍＲ０〜２０１ｍＲ３が脱着可能に固定されている。具体的には、図７に示すように、棚１２１Ｓ０，１２１Ｓ１の前面には、それぞれ、パネル固定ねじ２０２Ｆ０１〜２０２Ｆ０４，２０２Ｆ１１〜２０２Ｆ１４により、端子台付きパネル２０１ｍＦ０，２０１ｍＦ１が脱着可能に固定される。棚１２１Ｓ０，１２１Ｓ１の後面には、それぞれ、パネル固定ねじ２０２Ｒ０１〜２０２Ｒ０４，２０２Ｒ１１〜２０２Ｒ１４により、端子台付きパネル２０１ｍＲ０，２０１ｍＲ１が脱着可能に固定される。
【０１５４】
中継用端子台１４４は、たとえば、脱着可能に、電池接続ケーブル１３３，１４６を接続するための複数の端子を有する。具体的には、中継用端子台１４４は、端子Ｔ５１，Ｔ５２，Ｔ６１，Ｔ６２を有する。端子Ｔ５１，Ｔ６１間、および端子Ｔ５２，Ｔ６２間は、それぞれ電気的に接続されている。以下、端子Ｔ５１，Ｔ５２，Ｔ６１，Ｔ６２の各々を中継用端子Ｔとも称する。
【０１５５】
蓄電池Ｂが棚１２１に載置されていない状態の収納装置１５１において、中継用端子台１４４は、たとえば、端子台付きパネル２０１ｍを介して棚１２１に固定される。そして、中継用端子台１４４は、たとえば、電池接続ケーブル１３３を端子台付きパネル２０１ｍに取り付ける。具体的には、中継用端子台１４４は、たとえば、ボルトおよびナットにより端子台付きパネル２０１ｍに対して脱着可能に固定される。
【０１５６】
中継用端子台１４４は、たとえば、蓄電池Ｂに対応するような位置に設けられる。具体的には、中継用端子台１４４ＦＷ１，１４４ＦＥ１は、それぞれ蓄電池Ｂ１４，Ｂ１３に対応するような位置、すなわち端子台付きパネル２０１ｍＦ０において蓄電池Ｂ１４，Ｂ１３の上側の位置に固定される。
【０１５７】
また、収納装置１５１の後側においても、中継用端子台１４４ＲＷ１，１４４ＲＥ１は、それぞれ端子台付きパネル２０１ｍＲ０において蓄電池Ｂ１１，Ｂ１２の上側の位置に固定される。
【０１５８】
中継用端子台１４４には、電池接続ケーブル１４６が接続される。すなわち、中継用端子台１４４は、電池接続ケーブル１４６を端子台付きパネル２０１ｍに取り付ける。
【０１５９】
蓄電池Ｂが棚１２１に載置されていない状態の収納装置１５１において、電池接続ケーブル１３３は、たとえば、棚１２１に取り付けられる。具体的には、棚１２１Ｓ０において、図６と同様に電池接続ケーブル１３３Ｐａ１は、たとえばねじを用いて脱着可能に棚間端子台１６１Ｃ１の端子Ｔ１２に接続された第１端と、図７に示すように汎用穴１２７ＦＷ０を経由して中継用端子台１４４ＦＷ１の端子Ｔ５２に接続された第２端とを有する。電池接続ケーブル１３３Ｐａ１は、ワイヤークリップ１６３Ｃａ０によって脱着可能に棚１２１Ｓ０に固定される。
【０１６０】
電池接続ケーブル１３３Ｐｂ１は、中継用端子台１４４ＦＷ１の端子Ｔ５１に接続された第１端と、汎用穴１２７ＦＷ０，１２７ＦＥ０を経由して中継用端子台１４４ＦＥ１の端子Ｔ５２に接続された第２端とを有する。
【０１６１】
電池接続ケーブル１３３Ｐｃ１は、中継用端子台１４４ＦＥ１の端子Ｔ５１に接続された第１端と、汎用穴１２７ＦＥ０，１２７ＲＥ０を経由して中継用端子台１４４ＲＥ１の端子Ｔ５２に接続された第２端とを有する。電池接続ケーブル１３３Ｐｃ１は、ワイヤークリップ１６３Ｃｂ０，１６３Ｃｃ０によって脱着可能に棚１２１Ｓ０に固定される。
【０１６２】
電池接続ケーブル１３３Ｐｄ１は、中継用端子台１４４ＲＥ１の端子Ｔ５１に接続された第１端と、汎用穴１２７ＲＥ０，１２７ＲＷ０を経由して中継用端子台１４４ＲＷ１の端子Ｔ５２に接続された第２端とを有する。
【０１６３】
電池接続ケーブル１３３Ｐｅ１は、中継用端子台１４４ＲＷ１の端子Ｔ５１に接続された第１端と、汎用穴１２７ＲＷ０を経由して、たとえばねじを用いて脱着可能に棚間端子台１６１Ｃ１の端子Ｔ１３に接続された第２端とを有する。電池接続ケーブル１３３Ｐｅ１は、ワイヤークリップ１６３Ｃｄ０によって脱着可能に棚１２１Ｓ０に固定される。
【０１６４】
なお、中継用端子台１４４と棚間端子台１６１または他の中継用端子台１４４とを電池接続ケーブル１３３で接続する際に、電池接続ケーブル１３３を棚１２１における汎用穴を経由させる構成であるとしたが、これに限定するものではない。中継用端子台１４４と棚間端子台１６１または他の中継用端子台１４４とを電池接続ケーブル１３３で接続する際に、たとえば電池接続ケーブル１３３を端子台付きパネル２０１ｍの下側を経由させる構成であってもよい。
【０１６５】
電池接続ケーブル１４６ＦＷＭ１は、中継用端子台１４４ＦＷ１の端子Ｔ６２に接続された第１端と、脱着可能に蓄電池Ｂ１４の陰極ＴＭ１４に接続された第２端とを有する。電池接続ケーブル１４６ＦＷＰ１は、脱着可能に蓄電池Ｂ１４の陽極ＴＰ１４に接続された第１端と、中継用端子台１４４ＦＷ１の端子Ｔ６１に接続された第２端とを有する。
【０１６６】
電池接続ケーブル１４６ＦＥＭ１は、中継用端子台１４４ＦＥ１の端子Ｔ６２に接続された第１端と、脱着可能に蓄電池Ｂ１３の陰極ＴＭ１３に接続された第２端とを有する。電池接続ケーブル１４６ＦＥＰ１は、脱着可能に蓄電池Ｂ１３の陽極ＴＰ１３に接続された第１端と、中継用端子台１４４ＦＥ１の端子Ｔ６１に接続された第２端とを有する。
【０１６７】
電池接続ケーブル１４６ＲＥＭ１は、中継用端子台１４４ＲＥ１の端子Ｔ６２に接続された第１端と、脱着可能に蓄電池Ｂ１２の陰極ＴＭ１２に接続された第２端とを有する。電池接続ケーブル１４６ＲＥＰ１は、脱着可能に蓄電池Ｂ１２の陽極ＴＰ１２に接続された第１端と、中継用端子台１４４ＲＥ１の端子Ｔ６１に接続された第２端とを有する。
【０１６８】
電池接続ケーブル１４６ＲＷＭ１は、中継用端子台１４４ＲＷ１の端子Ｔ６２に接続された第１端と、脱着可能に蓄電池Ｂ１１の陰極ＴＭ１１に接続された第２端とを有する。電池接続ケーブル１４６ＲＷＰ１は、脱着可能に蓄電池Ｂ１１の陽極ＴＰ１１に接続された第１端と、中継用端子台１４４ＲＷ１の端子Ｔ６１に接続された第２端とを有する。
【０１６９】
以下、電池接続ケーブル１４６において、蓄電池Ｂの端子である陽極ＴＰまたは陰極ＴＭに接続される端子を電池側端子ＴＢとも称する。具体的には、電池接続ケーブル１４６ＦＷＭ１，１４６ＦＥＭ１，１４６ＲＥＭ１，１４６ＲＷＭ１の第２端、および電池接続ケーブル１４６ＦＷＰ１，１４６ＦＥＰ１，１４６ＲＥＰ１，１４６ＲＷＰ１の第１端が電池側端子ＴＢに相当する。
【０１７０】
中継用端子台１４４は、たとえば、棚１２１に載置された蓄電池Ｂの端子の位置に対応するような位置に設けられている。また、中継用端子台１４４は、たとえば、当該中継用端子台１４４に接続された電池接続ケーブル１４６の接続先となる蓄電池Ｂの端子、を示す識別子として機能するように固定される。
【０１７１】
具体的には、中継用端子台１４４ＦＷ１は、蓄電池Ｂ１４の端子である陰極ＴＭ１４，陽極ＴＰ１４の位置に対応する位置、すなわち蓄電池Ｂ１４の上側に設けられる。
【０１７２】
そして、中継用端子台１４４ＦＷ１は、中継用端子台１４４ＦＷ１における端子Ｔ６２，Ｔ６１の水平方向の並び方が、各中継用端子Ｔと電気的に接続すべき蓄電池Ｂの端子の並び方に対応するように固定される。すなわち、中継用端子台１４４ＦＷ１は、陰極ＴＭ１４，陽極ＴＰ１４とそれぞれ接続すべき端子Ｔ６２，Ｔ６１が棚１２１Ｓ０の左側から順に水平方向に並ぶように固定される。
【０１７３】
同様に、中継用端子台１４４ＦＥ１は、蓄電池Ｂ１３の端子である陰極ＴＭ１３，陽極ＴＰ１３の位置に対応して蓄電池Ｂ１３の上側に設けられ、陰極ＴＭ１３，陽極ＴＰ１３とそれぞれ接続すべき端子Ｔ６２，Ｔ６１が棚１２１Ｓ０の左側から順に水平方向に並ぶように固定される。
【０１７４】
したがって、中継用端子台１４４ＦＷ１，１４４ＦＥ１における各中継用端子Ｔの水平方向の並び方と、当該各中継用端子Ｔと接続すべき蓄電池Ｂの端子の水平方向の並び方の順とが対応する。
【０１７５】
また、図示していないが棚１２１Ｓ０の後側にいても同様に、中継用端子台１４４ＲＥ１は、蓄電池Ｂ１２の端子である陰極ＴＭ１２，陽極ＴＰ１２の位置に対応して蓄電池Ｂ１２の上側に設けられ、陰極ＴＭ１２，陽極ＴＰ１２とそれぞれ接続すべき端子Ｔ６２，Ｔ６１が棚１２１Ｓ０の右側から順に水平方向に並ぶように固定される。
【０１７６】
また、中継用端子台１４４ＲＷ１は、蓄電池Ｂ１１の端子である陰極ＴＭ１１，陽極ＴＰ１１の位置に対応して蓄電池Ｂ１１の上側に設けられ、陰極ＴＭ１１，陽極ＴＰ１１とそれぞれ接続すべき端子Ｔ６２，Ｔ６１が棚１２１Ｓ０の右側から順に水平方向に並ぶように固定される。
【０１７７】
したがって、中継用端子台１４４ＲＥ１，１４４ＲＷ１における各中継用端子Ｔの水平方向の並び方と、当該各中継用端子Ｔと接続すべき蓄電池Ｂの端子の水平方向の並び方の順とが対応する。
【０１７８】
このような構成により、たとえば、端子台付きパネル２０１ｍにおいて水平方向に並んでいる中継用端子台１４４における中継用端子Ｔの並び方に基づいて、当該中継用端子Ｔと電気的に接続すべき蓄電池Ｂの端子を正しく認識することができる。
【０１７９】
これにより、未接続の蓄電池Ｂを棚１２１に載置した状況において、電池接続ケーブル１４６を用いた電池側端子ＴＢおよび蓄電池Ｂの端子の接続作業を容易にし、かつ、接続の間違いの発生を抑制することができる。
【０１８０】
なお、本発明の第１の実施の形態に係る収納装置では、中継用端子台１４４は、端子台付きパネル２０１ｍを介して棚１２１に固定される構成であるとしたが、これに限定するものではない。中継用端子台１４４は、たとえば、棚１２１に直接固定される構成であってもよい。
【０１８１】
また、本発明の第１の実施の形態に係る収納装置１５１では、中継用端子台１４４は、中継用端子台１４４における端子Ｔ５２，Ｔ６２および端子Ｔ５１，Ｔ６１がそれぞれ水平方向に並ぶように端子台付きパネル２０１ｍに固定される構成であるとしたが、これに限定するものではない。たとえば、蓄電池Ｂの端子が垂直方向に並ぶ場合、中継用端子台１４４は、中継用端子台１４４における端子Ｔ５２，Ｔ６２および端子Ｔ５１，Ｔ６１がそれぞれ垂直方向に並ぶように端子台付きパネル２０１ｍに固定される構成であってもよい。
【０１８２】
［電池接続ケーブルを中継しない場合の棚の構成］
図８は、本発明の第１の実施の形態に係る棚の他の例を蓄電池載置時に右側面側から見た斜視図である。
【０１８３】
図８には、棚１２１Ｓ０が代表的に示されている。一部図示しない棚１２１Ｓ１、および図示しない棚１２１Ｓ２〜１２１Ｓ５についても図８に示す棚１２１Ｓ０と同様である。
【０１８４】
図８を参照して、収納装置１５１は、棚１２１Ｓ０について、電池接続ケーブル１３４Ｐａ１，１３４Ｐｂ１，１３４Ｐｃ１，１３４Ｐｄ１，１３４Ｐｅ１を備える。また、収納装置１５１は、棚１２１Ｓ１〜１２１Ｓ３について、電池接続ケーブル１３４Ｐａ２〜１３４Ｐａ４，１３４Ｐｂ２〜１３４Ｐｂ４，１３４Ｐｃ２〜１３４Ｐｃ４，１３４Ｐｄ２〜１３４Ｐｄ４，１３４Ｐｅ２〜１３４Ｐｅ４を備える。
【０１８５】
収納装置１５１は、その前側に、棚１２１Ｓ０について、端子指定ラベル（識別子）１７１Ｍ１４，１７１Ｐ１４，１７１Ｍ１３，１７１Ｐ１３と、標準パネル２０１ｐＦ０とを備える。収納装置１５１は、その後側に、棚１２１Ｓ０について、端子指定ラベル（識別子）１７１Ｍ１２，１７１Ｐ１２，１７１Ｍ１１，１７１Ｐ１１と、標準パネル２０１ｐＲ０とを備える。
【０１８６】
収納装置１５１は、その前側に、棚１２１Ｓ１〜１２１Ｓ３について、端子指定ラベル（識別子）１７１Ｍ２４，１７１Ｐ２４，１７１Ｍ２３，１７１Ｐ２３，１７１Ｍ３４，１７１Ｐ３４，１７１Ｍ３３，１７１Ｐ３３，１７１Ｍ４４，１７１Ｐ４４，１７１Ｍ４３，１７１Ｐ４３と、標準パネル２０１ｐＦ１〜２０１ｐＦ３とを備える。
【０１８７】
収納装置１５１は、その後側に、棚１２１Ｓ１〜１２１Ｓ３について、端子指定ラベル（識別子）１７１Ｍ２２，１７１Ｐ２２，１７１Ｍ２１，１７１Ｐ２１，１７１Ｍ３２，１７１Ｐ３２，１７１Ｍ３１，１７１Ｐ３１，１７１Ｍ４２，１７１Ｐ４２，１７１Ｍ４１，１７１Ｐ４１と、標準パネル２０１ｐＲ１〜２０１ｐＲ３とを備える。
【０１８８】
以下、電池接続ケーブル１３４Ｐａ１〜１３４Ｐａ４，１３４Ｐｂ１〜１３４Ｐｂ４，１３４Ｐｃ１〜１３４Ｐｃ４，１３４Ｐｄ１〜１３４Ｐｄ４，１３４Ｐｅ１〜１３４Ｐｅ４の各々を電池接続ケーブル１３４とも称する。端子指定ラベル１７１Ｍ１１〜１７１Ｍ１４，１７１Ｍ２１〜１７１Ｍ２４，１７１Ｍ３１〜１７１Ｍ３４，１７１Ｍ４１〜１７４Ｍ４４，１７１Ｐ１１〜１７１Ｐ１４，１７１Ｐ２１〜１７１Ｐ２４，１７１Ｐ３１〜１７１Ｐ３４，１７１Ｐ４１〜１７１Ｐ４４の各々を端子指定ラベル１７１とも称する。標準パネル２０１ｐＦ０〜２０１ｐＦ３，２０１ｐＲ０〜２０１ｐＲ３の各々を端子台付きパネル２０１ｐとも称する。
【０１８９】
電池接続ケーブル１３４は、たとえば、蓄電池Ｂと他の回路とを電気的に接続するために設けられる。具体的には、電池接続ケーブル１３４は、棚内ケーブルであり、たとえば、同じ棚１２１に対応する蓄電池Ｂ間または蓄電池Ｂと他の回路とを電気的に接続するために設けられる。ここで、他の回路には、たとえば、蓄電池Ｂおよび棚間端子台１６１が含まれる。
【０１９０】
棚１２１Ｓ０〜１２１Ｓ３には、それぞれ標準パネル２０１ｐＦ０〜２０１ｐＦ３，２１２ｐＲ０〜２０１ｐＲ３が脱着可能に固定されている。棚１２１には、たとえば、蓄電池Ｂに対応する位置に汎用穴１２７が設けられる。具体的には、汎用穴１２７ＦＷ０，１２７ＦＥ０は、それぞれ蓄電池Ｂ１４，Ｂ１３に対応する位置、すなわち棚１２１Ｓ０において蓄電池Ｂ１４，Ｂ１３の上側の位置に設けられる。
【０１９１】
また、汎用穴１２７ＲＷ０，１２７ＲＥ０は、それぞれ蓄電池Ｂ１１，Ｂ１２に対応する位置、すなわち棚１２１Ｓ０において蓄電池Ｂ１１，Ｂ１２の上側の位置に設けられる。
【０１９２】
蓄電池Ｂが棚１２１に載置されていない状態の収納装置１５１において、電池接続ケーブル１３４は、たとえば、棚１２１に取り付けられる。具体的には、図６と同様に、棚１２１Ｓ０において、電池接続ケーブル１３４Ｐａ１は、たとえばねじを用いて脱着可能に棚間端子台１６１Ｃ１の端子Ｔ１２に接続された第１端と、図８に示すように汎用穴１２７ＦＷ０を経由して脱着可能に蓄電池Ｂ１４の陰極ＴＭ１４に接続された第２端とを有する。電池接続ケーブル１３４Ｐａ１は、ワイヤークリップ１６３Ｃａ０によって脱着可能に棚１２１Ｓ０に固定される。
【０１９３】
電池接続ケーブル１３４Ｐｂ１は、脱着可能に蓄電池Ｂ１４の陽極ＴＰ１４に接続された第１端と、汎用穴１２７ＦＷ０，１２７ＦＥ０を経由して脱着可能に蓄電池Ｂ１３の陰極ＴＭ１３に接続された第２端とを有する。
【０１９４】
電池接続ケーブル１３４Ｐｃ１は、脱着可能に蓄電池Ｂ１３の陽極ＴＰ１３に接続された第１端と、汎用穴１２７ＦＥ０，１２７ＲＥ０を経由して脱着可能に蓄電池Ｂ１２の陰極ＴＭ１２に接続された第２端とを有する。電池接続ケーブル１３４Ｐｃ１は、ワイヤークリップ１６３Ｃｂ０，１６３Ｃｃ０によって脱着可能に棚１２１Ｓ０に固定される。
【０１９５】
電池接続ケーブル１３４Ｐｄ１は、脱着可能に蓄電池Ｂ１２の陽極ＴＰ１２に接続された第１端と、汎用穴１２７ＲＥ０，１２７ＲＷ０を経由して脱着可能に蓄電池Ｂ１１の陰極ＴＭ１１に接続された第２端とを有する。
【０１９６】
電池接続ケーブル１３４Ｐｅ１は、脱着可能に蓄電池Ｂ１１の陽極ＴＰ１１に接続された第１端と、汎用穴１２７ＲＷ０を経由して、たとえばねじを用いて脱着可能に棚間端子台１６１Ｃ１の端子Ｔ１３に接続された第２端とを有する。電池接続ケーブル１３４Ｐｅ１は、ワイヤークリップ１６３Ｃｄ０によって脱着可能に棚１２１Ｓ０に固定される。
【０１９７】
以下、電池接続ケーブル１３４において、蓄電池Ｂの端子である陽極ＴＰまたは陰極ＴＭに接続される端子を電池側端子ＴＢとも称する。具体的には、電池接続ケーブル１３４Ｐａ１，１３４Ｐｂ１，１３４Ｐｃ１，１３４Ｐｄ１の第２端、および電池接続ケーブル１３４Ｐｂ１，１３４Ｐｃ１，１３４Ｐｄ１，１３４Ｐｅ１の第１端が電池側端子ＴＢに相当する。
【０１９８】
棚１２１は、電池接続ケーブル１３４における電池側端子ＴＢの接続先となる蓄電池Ｂの端子を示す識別子を有する。具体的には、棚１２１に形成された汎用穴１２７により、電池接続ケーブル１３４における電池側端子ＴＢの接続先となる蓄電池Ｂの端子が識別可能となる。たとえば、汎用穴１２７は、棚１２１に載置された蓄電池Ｂの端子の位置に対応するような位置に形成されている。
【０１９９】
端子指定ラベル１７１は、たとえば、電池接続ケーブル１３４における電池側端子ＴＢの近傍に取り付けられる。端子指定ラベル１７１には、たとえば、その近傍の電池側端子ＴＢの接続先となる蓄電池Ｂの端子についての情報が含まれる。すなわち、端子指定ラベル１７１は、たとえば、当該端子指定ラベル１７１の近傍の電池側端子ＴＢの接続先となる蓄電池Ｂの端子、を示す識別子として機能する。
【０２００】
具体的には、端子指定ラベル１７１は、たとえば、黒色または白色のテープである。黒色の端子指定ラベル１７１は、たとえば、当該端子指定ラベル１７１の近傍の電池側端子ＴＢの接続先となる蓄電池Ｂの端子が陰極であることを示す。また、白色の端子指定ラベル１７１は、たとえば、当該端子指定ラベル１７１の近傍の電池側端子ＴＢの接続先となる蓄電池Ｂの端子が陽極であることを示す。
【０２０１】
より詳細には、電池接続ケーブル１３４Ｐａ１，１３４Ｐｂ１，１３４Ｐｃ１，１３４Ｐｄ１の第２端の近傍には、たとえば、黒色の端子指定ラベル１７１Ｍ１４，１７１Ｍ１３，１７１Ｍ１２，１７１Ｍ１１がそれぞれ取り付けられる。また、電池接続ケーブル１３４Ｐｂ１，１３４Ｐｃ１，１３４Ｐｄ１，１３４Ｐｅ１の第１端の近傍には、たとえば、白色の端子指定ラベル１７１Ｐ１４，１７１Ｐ１３，１７１Ｐ１２，１７１Ｐ１１がそれぞれ取り付けられる。
【０２０２】
電池接続ケーブル１３４Ｐａ１は、第２端の近傍に黒色の端子指定ラベル１７１Ｍ１４が取り付けられ、かつ汎用穴１２７ＦＷ０を経由する。これにより、電池接続ケーブル１３４Ｐａ１の第２端すなわち電池側端子ＴＢの接続先が、対応の蓄電池Ｂである蓄電池Ｂ１４の陰極すなわち陰極ＴＭ１４であることを認識することができる。
【０２０３】
電池接続ケーブル１３４Ｐｂ１は、第１端の近傍に白色の端子指定ラベル１７１Ｐ１４が取り付けられ、かつ汎用穴１２７ＦＷ０を経由する。これにより、電池接続ケーブル１３４Ｐｂ１の第１端すなわち電池側端子ＴＢの接続先が、対応の蓄電池Ｂである蓄電池Ｂ１４の陽極すなわち陽極ＴＰ１４であることを認識することができる。
【０２０４】
電池接続ケーブル１３４Ｐｂ１は、第２端の近傍に黒色の端子指定ラベル１７１Ｍ１３が取り付けられ、かつ汎用穴１２７ＦＥ０を経由する。これにより、電池接続ケーブル１３４Ｐｂ１の第２端の接続先が、陰極ＴＭ１３であることを認識することができる。
【０２０５】
電池接続ケーブル１３４Ｐｃ１は、第１端の近傍に白色の端子指定ラベル１７１Ｐ１３が取り付けられ、かつ汎用穴１２７ＦＥ０を経由する。これにより、電池接続ケーブル１３４Ｐｃ１の第１端の接続先が、陽極ＴＰ１３であることを認識することができる。
【０２０６】
収納装置１５１の後側でも同様に、電池接続ケーブル１３４Ｐｃ１は、第２端の近傍に黒色の端子指定ラベル１７１Ｍ１２が取り付けられ、かつ汎用穴１２７ＲＥ０を経由する。これにより、電池接続ケーブル１３４Ｐｃ１の第２端の接続先が、陰極ＴＭ１２であることを認識することができる。
【０２０７】
電池接続ケーブル１３４Ｐｄ１は、第１端の近傍に白色の端子指定ラベル１７１Ｐ１２が取り付けられ、かつ汎用穴１２７ＲＥ０を経由する。これにより、電池接続ケーブル１３４Ｐｄ１の第１端の接続先が、陽極ＴＰ１２であることを認識することができる。
【０２０８】
電池接続ケーブル１３４Ｐｄ１は、第２端の近傍に黒色の端子指定ラベル１７１Ｍ１１が取り付けられ、かつ汎用穴１２７ＲＷ０を経由する。これにより、電池接続ケーブル１３４Ｐｄ１の第２端の接続先が、陰極ＴＭ１１であることを認識することができる。
【０２０９】
電池接続ケーブル１３４Ｐｅ１は、第１端の近傍に白色の端子指定ラベル１７１Ｐ１１が取り付けられ、かつ汎用穴１２７ＲＷ０を経由する。これにより、電池接続ケーブル１３４Ｐｅ１の第１端の接続先が、陽極ＴＰ１１であることを認識することができる。
【０２１０】
すなわち、電池接続ケーブル１３４における電池側端子ＴＢの近傍に取り付けられる端子指定ラベル１７１および電池接続ケーブル１３４が経由する汎用穴１２７に基づいて、電池側端子ＴＢと電気的に接続すべき蓄電池Ｂの端子を正しく認識することができる。
【０２１１】
これにより、未接続の蓄電池Ｂを棚１２１に載置した状況において、電池接続ケーブル１３４を用いた電池側端子ＴＢおよび蓄電池Ｂの端子の接続作業を容易にし、かつ、接続の間違いの発生を抑制することができる。
【０２１２】
なお、蓄電池Ｂ同士を電池接続ケーブル１３４で接続する際に、電池接続ケーブル１３４を棚１２１における汎用穴を経由させる構成であるとしたが、これに限定するものではない。蓄電池Ｂ同士を電池接続ケーブル１３４で接続する際に、たとえば電池接続ケーブル１３４を標準パネル２０１ｐの下側を経由させる構成であってもよい。この場合、電池接続ケーブル１３４の電池側端子ＴＢの近傍に取り付けられる端子指定ラベル１７１には、接続すべき蓄電池Ｂの極性とともに、接続すべき蓄電池Ｂを示す情報が含まれる。これにより、電池側端子ＴＢと電気的に接続すべき蓄電池Ｂの端子を正しく認識することができる。
【０２１３】
［棚間ケーブルの収納装置への取り付け］
再び図２を参照して、装置端子台１６２は、たとえば、棚１２１に固定される。具体的には、装置端子台１６２は、たとえば、棚１２１Ｓ５の上面における左側端部の近傍にボルトおよびナットにより脱着可能に固定される。
【０２１４】
装置端子台１６２は、たとえば、収納装置１５１およびＢＭＳ５０１を電気的に接続する充放電ケーブル１３５と電池接続ケーブル１３２とを接続するための複数の端子を有する。
【０２１５】
具体的には、装置端子台１６２は、収納装置１５１の後側に端子Ｔ３１，Ｔ３２，Ｔ３３，Ｔ３４と、収納装置１５１の前側に端子Ｔ４１，Ｔ４２，Ｔ４３，Ｔ４４とを有する。端子Ｔ３１，Ｔ４１間、端子Ｔ３２，Ｔ４２間、端子Ｔ３３，Ｔ４３間、および端子Ｔ３４，Ｔ４４間は、それぞれ電気的に接続されている。以下、端子Ｔ３１，Ｔ３２，Ｔ３３，Ｔ３４，Ｔ４１，Ｔ４２，Ｔ４３，Ｔ４４の各々を装置端子Ｔとも称する。
【０２１６】
端子Ｔ４１，Ｔ４２には、図１に示す充放電ケーブル１３５が接続される。したがって、装置端子台１６２は、収納装置１５１とＢＭＳ５０１との接続部となる。
【０２１７】
再び図３を参照して、蓄電池Ｂが棚１２１に載置されていない状態の収納装置１５１において、電池接続ケーブル１３２は、たとえば、棚１２１に取り付けられる。また、電池接続ケーブル１３２は、たとえば、蓄電池Ｂと他の回路とを電気的に接続するために設けられる。具体的には、電池接続ケーブル１３２の一部は棚間ケーブルである。電池接続ケーブル１３２は、たとえば、蓄電池Ｂと他の棚１２１に載置された蓄電池Ｂとを電気的に接続するために設けられる。
【０２１８】
具体的には、電池接続ケーブル１３２Ｐ１２，１３２Ｍ１２は、棚間ケーブルであり、たとえば、棚１２１Ｓ１に載置された蓄電池Ｂ１１〜Ｂ１４と棚１２１Ｓ２に載置された蓄電池Ｂ２１〜Ｂ２４とを電気的に接続するために設けられる。
【０２１９】
より詳細には、電池接続ケーブル１３２Ｐ１２，１３２Ｍ１２は、それぞれ、棚間端子台１６１Ｃ１における端子Ｔ２３，Ｔ２２に接続された第１端と、棚間端子台１６１Ｃ２における端子Ｔ２３，Ｔ２２に接続された第２端とを有する。
【０２２０】
電池接続ケーブル１３２Ｐ１２，１３２Ｍ１２は、たとえば、同種の電線により構成され、棚１２１Ｓ１，１２１Ｓ２間の距離に応じた長さを有する。すなわち、電池接続ケーブル１３２Ｐ１２における第１端および第２端間のインピーダンスと、電池接続ケーブル１３２Ｍ１２における第１端および第２端間のインピーダンスとは、略同じである。
【０２２１】
電池接続ケーブル１３２Ｐ２３，１３２Ｍ２３は、棚間ケーブルであり、たとえば、棚１２１Ｓ２に載置された蓄電池Ｂ２１〜Ｂ２４と棚１２１Ｓ３に載置された蓄電池Ｂ３１〜Ｂ３４とを電気的に接続するために設けられる。
【０２２２】
より詳細には、電池接続ケーブル１３２Ｐ２３，１３２Ｍ２３は、それぞれ、棚間端子台１６１Ｃ２における端子Ｔ２３，Ｔ２２に接続された第１端と、棚間端子台１６１Ｃ３における端子Ｔ２３，Ｔ２２に接続された第２端とを有する。
【０２２３】
電池接続ケーブル１３２Ｐ２３，１３２Ｍ２３は、たとえば、同種の電線により構成され、棚１２１Ｓ２，１２１Ｓ３間の距離に応じた長さを有する。すなわち、電池接続ケーブル１３２Ｐ２３における第１端および第２端間のインピーダンスと、電池接続ケーブル１３２Ｍ２３における第１端および第２端間のインピーダンスとは、略同じである。
【０２２４】
電池接続ケーブル１３２Ｐ３４，１３２Ｍ３４は、棚間ケーブルであり、たとえば、棚１２１Ｓ３に載置された蓄電池Ｂ３１〜Ｂ３４と棚１２１Ｓ４に載置された蓄電池Ｂ４１〜Ｂ４４とを電気的に接続するために設けられる。
【０２２５】
より詳細には、電池接続ケーブル１３２Ｐ３４，１３２Ｍ３４は、それぞれ、棚間端子台１６１Ｃ３における端子Ｔ２３，Ｔ２２に接続された第１端と、棚間端子台１６１Ｃ４における端子Ｔ２３，Ｔ２２に接続された第２端とを有する。
【０２２６】
電池接続ケーブル１３２Ｐ３４，１３２Ｍ３４は、たとえば、同種の電線により構成され、棚１２１Ｓ３，１２１Ｓ４間の距離に応じた長さを有する。すなわち、電池接続ケーブル１３２Ｐ３４における第１端および第２端間のインピーダンスと、電池接続ケーブル１３２Ｍ３４における第１端および第２端間のインピーダンスとは、略同じである。
【０２２７】
このように、亘りの配線として電池接続ケーブル１３２Ｐ１２，１３２Ｍ１２，１３２Ｐ２３，１３２Ｍ２３，１３２Ｐ３４，１３２Ｍ３４を用いる構成により、異なる棚１２１に載置される蓄電池Ｂ同士の電気的な接続関係を容易に変更することができ、かつ、電池接続ケーブルの長さも棚間の距離に応じて設定することができるので、設計を容易にし、コストダウンを図ることができる。
【０２２８】
電池接続ケーブル１３２Ｐ４ｂ，１３２Ｍ１ｂは、たとえば、棚１２１に載置された蓄電池ＢとＢＭＳ５０１とを電気的に接続するために設けられる。
【０２２９】
以下、図示していないが、より詳細には、棚間端子台１６１Ｃ４における端子Ｔ２３，Ｔ１３は電気的に接続される。棚間端子台１６１Ｃ４における端子Ｔ１３および端子Ｔ１４はたとえば配線により電気的に接続される。そして、図３に示すように、電池接続ケーブル１３２Ｐ４ｂは、棚間端子台１６１Ｃ４における端子Ｔ２４経由で棚間端子台１６１Ｃ４の端子Ｔ１４に接続された第１端と、装置端子台１６２における端子Ｔ３１に接続された第２端とを有する。したがって、棚間端子台１６１Ｃ４における端子Ｔ２３と装置端子台１６２における端子Ｔ３１とが電気的に接続される。
【０２３０】
図６に示すように、棚間端子台１６１Ｃ１における端子Ｔ２２，Ｔ１２は電気的に接続される。棚間端子台１６１Ｃ１における端子Ｔ１２および端子Ｔ１１はたとえば配線により電気的に接続される。そして、図３に示すように、電池接続ケーブル１３２Ｍ１ｂは、棚間端子台１６１Ｃ１における端子Ｔ２１経由で棚間端子台１６１Ｃ１の端子Ｔ１１に接続された第１端と、装置端子台１６２における端子Ｔ３２に接続された第２端とを有する。したがって、棚間端子台１６１Ｃ１における端子Ｔ２２と装置端子台１６２における端子Ｔ３２とが電気的に接続される。
【０２３１】
［電池接続ケーブルの電気的な接続］
図９は、本発明の第１の実施の形態に係る蓄電池の電気的接続の一例を示す図である。
【０２３２】
図９を参照して、電源装置１０１では、たとえば、棚内ケーブル、棚間ケーブル、蓄電池Ｂおよび接続部が電気的に接続された状態において、棚１２１に載置された４個の蓄電池Ｂが棚内ケーブルによって電気的に直列接続され、直列ユニットが形成される。そして、棚１２１ごとに形成された４個の直列ユニットは、棚間ケーブルにより電気的に並列接続される。すなわち、電源装置１０１では、１６個の蓄電池Ｂが４直４並列に接続される。
【０２３３】
具体的には、蓄電池Ｂ１１〜Ｂ１４，Ｂ２１〜Ｂ２４，Ｂ３１〜Ｂ３４，Ｂ４１〜Ｂ４４は、それぞれ直列ユニットＢＳ１，ＢＳ２，ＢＳ３，ＢＳ４を構成する。以下、直列ユニットＢＳ１，ＢＳ２，ＢＳ３，ＢＳ４を直列ユニットＢＳとも称する。
【０２３４】
より詳細には、ＢＭＳ５０１と接続された充放電ケーブル１３５ｐの第１端が接続された装置端子台１６２における端子Ｔ４１と、装置端子台１６２における端子Ｔ３１とは電気的に接続される。
【０２３５】
装置端子台１６２における端子Ｔ３１は、電池接続ケーブル１３２Ｐ４ｂを介して棚間端子台１６１Ｃ４における端子Ｔ２４と電気的に接続される。
【０２３６】
棚間端子台１６１Ｃ４における端子Ｔ１４，Ｔ２４は電気的に接続される。棚間端子台１６１Ｃ４における端子Ｔ１４，Ｔ１３はたとえば配線により電気的に接続される。棚間端子台１６１Ｃ４における端子Ｔ２３，Ｔ１３は電気的に接続される。
【０２３７】
棚間端子台１６１Ｃ４における端子Ｔ２３は、電池接続ケーブル１３２Ｐ３４を介して棚間端子台１６１Ｃ３における端子Ｔ２３と電気的に接続される。棚間端子台１６１Ｃ３における端子Ｔ２３は、電池接続ケーブル１３２Ｐ２３を介して棚間端子台１６１Ｃ２おける端子Ｔ２３と電気的に接続される。棚間端子台１６１Ｃ２における端子Ｔ２３は、電池接続ケーブル１３２Ｐ１２を介して棚間端子台１６１Ｃ１における端子Ｔ２３と電気的に接続される。棚間端子台１６１Ｃ１〜１６１Ｃ３の各々における端子Ｔ２３，Ｔ１３は電気的に接続される。
【０２３８】
蓄電池Ｂ１１，Ｂ２１，Ｂ３１，Ｂ４１における陽極ＴＰ１１，ＴＰ２１，ＴＰ３１，ＴＰ４１は、それぞれ棚間端子台１６１Ｃ１，１６１Ｃ２，１６１Ｃ３，１６１Ｃ４における端子Ｔ１３と電気的に接続される。蓄電池Ｂ１１，Ｂ２１，Ｂ３１，Ｂ４１における陰極ＴＭ１１，ＴＭ２１，ＴＭ３１，ＴＭ４１は、それぞれ蓄電池Ｂ１２，Ｂ２２，Ｂ３２，Ｂ４２における陽極ＴＰ１２，ＴＰ２２，ＴＰ３２，ＴＰ４２と電気的に接続される。蓄電池Ｂ１２，Ｂ２２，Ｂ３２，Ｂ４２における陰極ＴＭ１２，ＴＭ２２，ＴＭ３２，ＴＭ４２は、それぞれ蓄電池Ｂ１３，Ｂ２３，Ｂ３３，Ｂ４３における陽極ＴＰ１３，ＴＰ２３，ＴＰ３３，ＴＰ４３と電気的に接続される。蓄電池Ｂ１３，Ｂ２３，Ｂ３３，Ｂ４３における陰極ＴＭ１３，ＴＭ２３，ＴＭ３３，ＴＭ４３は、それぞれ蓄電池Ｂ１４，Ｂ２４，Ｂ３４，Ｂ４４における陽極ＴＰ１４，ＴＰ２４，ＴＰ３４，ＴＰ４４と電気的に接続される。蓄電池Ｂ１４，Ｂ２４，Ｂ３４，Ｂ４４における陰極ＴＭ１４，ＴＭ２４，ＴＭ３４，ＴＭ４４は、それぞれ棚間端子台１６１Ｃ１，１６１Ｃ２，１６１Ｃ３，１６１Ｃ４における端子Ｔ１２と電気的に接続される。棚間端子台１６１Ｃ１〜１６１Ｃ４の各々における端子Ｔ１２，Ｔ２２は電気的に接続される。
【０２３９】
棚間端子台１６１Ｃ４における端子Ｔ２２は、電池接続ケーブル１３２Ｍ３４を介して棚間端子台１６１Ｃ３における端子Ｔ２２と電気的に接続される。棚間端子台１６１Ｃ３における端子Ｔ２２は、電池接続ケーブル１３２Ｍ２３を介して棚間端子台１６１Ｃ２における端子Ｔ２２と電気的に接続される。棚間端子台１６１Ｃ２における端子Ｔ２２は、電池接続ケーブル１３２Ｍ１２を介して棚間端子台１６１Ｃ１における端子Ｔ２２と電気的に接続される。
【０２４０】
棚間端子台１６１Ｃ１における端子Ｔ１２，Ｔ１１はたとえば配線により電気的に接続される。棚間端子台１６１Ｃ１における端子Ｔ１１，Ｔ２１は電気的に接続される。
【０２４１】
棚間端子台１６１Ｃ１における端子Ｔ２１は、電池接続ケーブル１３２Ｍ１ｂを介して装置端子台１６２における端子Ｔ３２と電気的に接続される。装置端子台１６２における端子Ｔ３２と、ＢＭＳ５０１と接続された充放電ケーブル１３５ｍの第１端が接続された装置端子台１６２における端子Ｔ４２とは電気的に接続される。
【０２４２】
なお、本発明の第１の実施の形態に係る電源装置１０１では、電池接続ケーブル１３２Ｍ１ｂが棚間端子台１６１Ｃ１における端子Ｔ２１および装置端子台１６２における端子Ｔ３２に接続される構成であるとしたが、これに限定するものではない。電池接続ケーブル１３２Ｍ１ｂは、たとえば、棚間端子台１６１Ｃ１における端子Ｔ２１の代わりに、装置端子台１６２の最も近くに位置する棚間端子台１６１Ｃ４における端子Ｔ２２に接続される構成であってもよい。これにより、電池接続ケーブル１３２Ｍ１ｂの長さを短くすることができるので、電池接続ケーブル１３２Ｍ１ｂのインピーダンスを下げて電力損失を低減するとともに、製造コストを下げることができる。
【０２４３】
［電池接続ケーブルのインピーダンス］
図６に示すように、各棚１２１には、たとえば、同種の電線により構成され、かつ、略同じ長さを有する棚内ケーブル、具体的には電池接続ケーブル１３１，１３３，１３４，１４５，１４６が取り付けられる。したがって、棚間端子台１６１における端子Ｔ１３から蓄電池Ｂを経由して棚間端子台１６１における端子Ｔ１２までの棚内ケーブルにより形成される経路のインピーダンスは、各棚１２１について略同じである。
【０２４４】
図３に示すように、棚１２１の間には、たとえば、同種の電線により構成され、かつ、略同じ長さを有する棚間ケーブルが取り付けられる。したがって、棚間端子台１６１Ｃ１における端子Ｔ２３および棚間端子台１６１Ｃ２における端子Ｔ２３間のインピーダンスと、棚間端子台１６１Ｃ１における端子Ｔ２２および棚間端子台１６１Ｃ２における端子Ｔ２２間のインピーダンスは、略同じである。
【０２４５】
棚間端子台１６１Ｃ２における端子Ｔ２３および棚間端子台１６１Ｃ３における端子Ｔ２３間のインピーダンスと、棚間端子台１６１Ｃ２における端子Ｔ２２および棚間端子台１６１Ｃ３における端子Ｔ２２間のインピーダンスは、略同じである。
【０２４６】
棚間端子台１６１Ｃ３における端子Ｔ２３および棚間端子台１６１Ｃ４における端子Ｔ２３間のインピーダンスと、棚間端子台１６１Ｃ３における端子Ｔ２２および棚間端子台１６１Ｃ４における端子Ｔ２２間のインピーダンスは、略同じである。
【０２４７】
また、棚間端子台１６１Ｃ１〜１６１Ｃ４の各々における、端子Ｔ２３，Ｔ１３間および端子Ｔ１２，Ｔ２２間のインピーダンスは無視できる程度に小さい。
【０２４８】
したがって、電源装置１０１とＢＭＳ５０１との接続部である装置端子台１６２から各棚１２１に載置された蓄電池Ｂを経由した装置端子台１６２までの電池接続ケーブルにより形成される各経路のインピーダンスが略同じである。
【０２４９】
より詳細には、装置端子台１６２における端子Ｔ３１から直列ユニットＢＳ１〜ＢＳ４の各々を経由して装置端子台１６２における端子Ｔ３２までの電池接続ケーブルにより形成される各経路のインピーダンスが略同じである。
【０２５０】
これにより、直列ユニットＢＳ１〜ＢＳ４における蓄電池Ｂを充電または放電させる場合に、いずれの蓄電池Ｂに対しても略同じ電圧をそれぞれ印加または出力させることができるので、蓄電池Ｂの寿命を延ばすことができる。
【０２５１】
［電源装置の製造方法］
図１０は、本発明の第１の実施の形態に係る電源装置の製造方法を定めたフローチャートである。
【０２５２】
図１０を参照して、まず、製造者は、たとえば工場において棚内ケーブルおよび棚間ケーブルを含む電池接続ケーブルを棚１２１に取り付ける（ステップＳ１０２）。
【０２５３】
次に、製造者は、ケーシング１０２に固定された１９インチラックに、電池接続ケーブルが取り付けられた棚１２１を固定する（ステップＳ１０４）。
【０２５４】
次に、製造者は、蓄電池Ｂが棚１２１に載置されていない状態で、収納装置１５１および蓄電池Ｂを出荷する（ステップＳ１０６）。
【０２５５】
次に、製造者は、蓄電池Ｂが棚１２１に載置されていない状態で、収納装置１５１を事業所等に設置する（ステップＳ１０８）。
【０２５６】
次に、製造者は、収納装置１５１における棚１２１に蓄電池Ｂを載置する（ステップＳ１１０）。
【０２５７】
次に、製造者は、棚１２１に取り付けておいた電池接続ケーブルを棚１２１に載置された蓄電池Ｂに接続する（ステップＳ１１２）。
【０２５８】
上記ステップＳ１０２およびステップＳ１０４において収納装置１５１が製造される。上記ステップＳ１０６およびＳ１０８において、収納装置１５１が設置される。上記ステップＳ１１０およびＳ１１２において、収納装置１５１に蓄電池Ｂが収納され、かつ蓄電池Ｂが接続されることにより電源装置１０１が設置される。
【０２５９】
また、重量物である蓄電池Ｂが棚１２１に載置された状態の収納装置１５１を運搬する場合、収納装置１５１には相当の強度が要求される。上記方法では、上記ステップＳ１０６において、蓄電池Ｂが棚１２１に載置されていない状態の収納装置１５１を出荷した後、収納装置１５１における棚１２１に蓄電池Ｂを載置することにより、相当の強度まで強度を上げた収納装置１５１を製造する必要がなくなり、収納装置１５１の軽量化および低コスト化を図ることができる。
【０２６０】
なお、上記ステップＳ１０２において、棚内ケーブルおよび棚間ケーブルが棚１２１に取り付けられたが、これに限定するものではない。棚内ケーブルおよび棚間ケーブルは、棚１２１から脱着可能であるので、上記ステップＳ１０２において棚内ケーブルおよび棚間ケーブルのいずれか一方が棚１２１に取り付けられた状態で、上記ステップＳ１０６において出荷されてもよい。そして、収納装置１５１を設置する現場において、出荷前に取り付けられなかった棚内ケーブルまたは棚間ケーブルが棚１２１に取り付けられてもよい。
【０２６１】
また、収納装置１５１は、棚１２１の一部、棚内ケーブルの一部または棚間ケーブルの一部が収納装置１５１から取り外された状態で出荷されてもよい。
【０２６２】
なお、収納装置１５１における棚内ケーブルは、当該棚内ケーブルが取り付けられた棚１２１の１段下の棚１２１に載置される蓄電池Ｂに接続される構成であるとしたが、これに限定するものではない。棚内ケーブルは、たとえば、当該棚内ケーブルが取り付けられた棚１２１に載置される蓄電池Ｂに接続される構成であってもよい。
【０２６３】
ところで、特許文献１に記載の蓄電池収納キュービクルでは、複数の蓄電池の端子が同一面に配置されるため、いずれの蓄電池の端子同士を接続すべきかを把握することが困難となる。このため、作業者は、蓄電池の端子同士を接続する際、誤った接続を行ってしまう場合がある。
【０２６４】
また、たとえば、収納箱内の蓄電池が電気的に直列に接続されている場合において、作業者が収納箱同士を電気的に接続する際に、作業者が電圧の高い端子と接触し、感電する場合がある。
【０２６５】
これに対して、本発明の第１の実施の形態に係る収納装置では、収納装置１５１は、蓄電池Ｂの収納装置１５１であって、蓄電池Ｂを載置可能であり、蓄電池Ｂを収容可能な間隔を隔てて設けられた複数の棚１２１と、蓄電池Ｂと他の蓄電池ＢまたはＢＭＳ５０１とを電気的に接続するための電池接続ケーブル１３１，１３２，１３３，１３４，１４５，１４６とを備える。電池接続ケーブル１３１，１３２，１３３，１３４，１４５，１４６は、蓄電池Ｂが棚１２１に載置されていない状態において棚１２１に取り付けられている。
【０２６６】
このような構成により、収納装置１５１が設置された後、蓄電池Ｂを棚１２１に載置し、収納装置１５１の製造過程で棚１２１に取り付けられた電池接続ケーブル１３１，１３２，１３３，１３４，１４５，１４６と蓄電池Ｂとを接続して接続作業が完了するので、接続作業を簡易化することができ、蓄電池の接続を正しく行うことができる。
【０２６７】
また、蓄電池Ｂを棚１２１に載置する前に電池接続ケーブル１３１，１３２，１３３，１３４，１４５，１４６同士の接続作業を完了させることができるので、作業者が電圧の高い端子と接触してしまう機会を減少させることができる。これにより、蓄電池の接続を正しく行うことができ、また、作業者が高電圧により感電してしまうことを回避することができる。
【０２６８】
また、重量物である蓄電池Ｂが棚１２１に載置された状態の収納装置１５１を運搬する場合、収納装置１５１には相当の強度が要求される。上記構成では、蓄電池Ｂが棚１２１に載置されていない状態の収納装置１５１を設置した後、収納装置１５１における棚１２１に蓄電池Ｂを載置することにより、相当の強度まで強度を上げた収納装置１５１を製造する必要がなくなり、収納装置１５１の軽量化および低コスト化を図ることができる。
【０２６９】
また、たとえば、ケーシング１０２および棚１２１として汎用のキュービクルおよび１９インチラックをそれぞれ用いることにより、蓄電池Ｂの種類に応じた専用設計の収納装置を生産する代わりに汎用設計の収納装置１５１を生産することができるので、小ロット多品種生産時における収納装置１５１の生産コストを低下させることができる。
【０２７０】
また、本発明の第１の実施の形態に係る収納装置では、電池接続ケーブル１３２には、蓄電池Ｂと他の棚１２１に載置される蓄電池Ｂとを電気的に接続するための棚間ケーブルが含まれる。
【０２７１】
このような構成により、たとえば、蓄電池Ｂが直列に接続される場合において、高電圧が発生し得る端子同士を、蓄電池Ｂの棚１２１への載置前に棚間ケーブルを用いて接続しておくことができるので、作業者が電圧の高い端子と接触してしまう機会を減少させることができる。
【０２７２】
また、棚間ケーブルの長さを棚１２１の間隔に応じた長さに揃えることができるので、棚間ケーブルの仕様を統一することができる。これにより、棚間ケーブルの製造コストおよび配線作業の工数を減少させることができる。
【０２７３】
また、本発明の第１の実施の形態に係る収納装置では、棚１２１は複数の蓄電池Ｂを載置可能であり、収納装置１５１は、同じ棚１２１に対応する蓄電池Ｂ間または蓄電池Ｂと他の回路とを電気的に接続するための棚内ケーブルである電池接続ケーブル１３１，１３３，１３４，１４５，１４６を備える。
【０２７４】
このような構成により、棚１２１における棚内ケーブルの配線を、棚１２１および蓄電池Ｂの空間的な配置に応じた態様の配線とすることができる。これにより、棚内ケーブルを用いて、同じ棚１２１に対応する蓄電池Ｂ間または蓄電池Ｂと他の回路とを効率よく配線することができる。
【０２７５】
また、たとえば、棚内ケーブルが取り付けられる棚１２１が共通化されている場合には、棚内ケーブルの仕様を統一することができるので、棚内ケーブルの製造コストおよび配線作業の工数を減少させることができる。
【０２７６】
また、本発明の第１の実施の形態に係る収納装置では、棚間端子台１６１、ワイヤークリップ１６３、コネクタ基部１４１、コネクタ差込部１４２および中継用端子台１４４は、蓄電池Ｂが棚１２１に載置されていない状態において棚１２１に固定され、電池接続ケーブルを棚１２１に取り付ける。
【０２７７】
このように、棚１２１および電池接続ケーブルを棚間端子台１６１、ワイヤークリップ１６３、コネクタ基部１４１、コネクタ差込部１４２および中継用端子台１４４を用いて棚１２１に固定する構成により、たとえば電池接続ケーブルの配線が変更になる場合においても、棚間端子台１６１、ワイヤークリップ１６３、コネクタ基部１４１、コネクタ差込部１４２または中継用端子台１４４の配置を変更することにより、このような仕様変更に対して柔軟に対応することができる。
【０２７８】
また、たとえば、棚間端子台１６１、コネクタ基部１４１、コネクタ差込部１４２および中継用端子台１４４は、電池接続ケーブルを棚１２１に取り付ける目的以外の役割を有しているので、棚１２１の周辺に取り付けられる部品の点数を削減することができ、また、棚１２１の周辺の空間を有効活用することができる。
【０２７９】
また、本発明の第１の実施の形態に係る収納装置では、棚１２１は複数の蓄電池Ｂを載置可能であり、電池接続ケーブル１３１，１３２，１３３，１３４，１４５，１４６には、同じ棚１２１に対応する蓄電池Ｂ間または蓄電池Ｂと他の回路とを電気的に接続するための棚内ケーブルである電池接続ケーブル１３１，１３３，１３４，１４５，１４６、および蓄電池Ｂと他の棚１２１に載置される蓄電池Ｂとを電気的に接続するための棚間ケーブルが含まれる。棚内ケーブルは、棚１２１に載置される複数の蓄電池Ｂを電気的に直列に接続するために設けられる。棚間ケーブルは、棚１２１に載置される蓄電池Ｂと他の棚１２１に載置される蓄電池Ｂとを電気的に並列に接続するために設けられる。
【０２８０】
このような構成により、異なる棚１２１に載置される蓄電池Ｂ同士の電気的な接続と、これらの棚１２１の空間的な配置とを対応させることができるので、収納装置１５１における各蓄電池Ｂの電気的な接続について、個々の蓄電池Ｂ単位で考えることなく、各棚１２１に載置される蓄電池Ｂの組を１単位として直観的に判断することができる。
【０２８１】
これにより、たとえば、電気的な接続に関し仕様の異なる収納装置１５１を設計する場合において、電気的な接続以外の機構設計等を共通化することができる。そして、棚内ケーブルおよび棚間ケーブルの接続を変更することにより、電気的な接続の仕様の異なる収納装置１５１を設計することができる。したがって、設計コストおよび製造コストを削減することができる。
【０２８２】
また、本発明の第１の実施の形態に係る収納装置では、棚１２１は複数の蓄電池Ｂを載置可能である。電池接続ケーブル１３１，１３２，１３３，１３４，１４５，１４６には、同じ棚１２１に対応する蓄電池Ｂ間または蓄電池Ｂと他の回路とを電気的に接続するための棚内ケーブルである電池接続ケーブル１３１，１３３，１３４，１４５，１４６が含まれる。棚内ケーブルの接続対象には、棚内ケーブルが取り付けられた棚１２１に載置される蓄電池Ｂ、または棚内ケーブルが取り付けられた棚１２１の１段下の棚１２１に載置される蓄電池Ｂが含まれる。
【０２８３】
このような構成により、棚内ケーブルを用いた蓄電池Ｂの配線を棚１２１および蓄電池Ｂの空間的な配置に基づいて容易に行うことができる。
【０２８４】
また、棚内ケーブルの接続対象となる蓄電池Ｂが、棚内ケーブルが取り付けられた棚１２１に近い場所に位置するので、棚内ケーブルを短くすることができる。これにより、棚内ケーブルのインピーダンスを下げて電力損失を低減するとともに、製造コストを下げることができる。
【０２８５】
また、本発明の第１の実施の形態に係る収納装置では、コネクタ基部１４１、中継用端子台１４４、端子指定ラベル１７１および棚１２１は、電池接続ケーブル１３１，１３２，１３３，１３４，１４５，１４６の接続先となる蓄電池Ｂの端子を示す識別子を有する。
【０２８６】
このような構成により、接続作業において、作業者は、電池接続ケーブル１３１，１３２，１３３，１３４，１４５，１４６の接続先となる蓄電池Ｂの端子を容易に認識することができるので、蓄電池Ｂの接続をより正しく行うことができる。
【０２８７】
また、本発明の第１の実施の形態に係る収納装置では、コネクタ基部１４１、コネクタ差込部１４２および中継用端子台１４４は、蓄電池Ｂの端子に接続される電池接続ケーブル１４５，１４６の端部、の反対側の端部が接続される。コネクタ基部１４１、コネクタ差込部１４２および中継用端子台１４４は、蓄電池Ｂの端子の位置に対応するような位置に設けられている。
【０２８８】
このような構成により、接続作業において、作業者は、電池接続ケーブル１４５，１４６の接続対象となる蓄電池Ｂを容易に判断することができる。
【０２８９】
また、本発明の第１の実施の形態に係る収納装置では、コネクタ付きパネル２０１および端子台付きパネル２０１ｍは、棚１２１に対して脱着可能であり、電池接続ケーブル１３１，１３３，１４５，１４６に接続されたコネクタ基部１４１、コネクタ差込部１４２および中継用端子台１４４が取り付けられる。
【０２９０】
このような構成により、たとえば、棚１２１に載置される蓄電池Ｂの種類および配置等が変更される場合においても、コネクタ付きパネル２０１および端子台付きパネル２０１ｍを別途製作することにより対応することができるので、同じ棚１２１をそのまま使用することができる。これにより、棚１２１の仕様を統一することができる。
【０２９１】
また、重量物である蓄電池Ｂを載置するための強度が要求され、かつ重量物である棚１２１を加工または製造する代わりに、要求される強度が低くかつ軽量のコネクタ付きパネル２０１および端子台付きパネル２０１ｍを加工または製造すればよいので、製造コストを下げるとともに、作業性を向上させることができる。
【０２９２】
また、本発明の第１の実施の形態に係る収納装置では、電源装置１０１において、電源装置１０１の外部回路であるＢＭＳ５０１との接続部である装置端子台１６２における端子Ｔ３１から各棚１２１に載置される蓄電池Ｂを経由した装置端子台１６２における端子Ｔ３２までの電池接続ケーブルによる各経路、のインピーダンスが略同じである。
【０２９３】
このような構成により、たとえば、各棚１２１に載置された蓄電池Ｂを充電または放電させる場合において、いずれの蓄電池Ｂに対しても略同じ電圧をそれぞれ印加または出力させることができるので、蓄電池Ｂの寿命を延ばすことができる。
【０２９４】
なお、本発明の第１の実施の形態に係る収納装置では、電池接続ケーブルにおいて、ケーブルの端子同士の接続に端子台およびコネクタを用いる構成であるとしたが、これに限定するものではない。ケーブルの端子同士が、嵌合、圧着および接着等の方法により電気的にかつ物理的に接続されてもよい。
【０２９５】
また、本発明の第１の実施の形態に係る収納装置では、棚内ケーブルとＢＭＳ５０１とは、接続部である装置端子台１６２を介して電気的に接続される構成であるとしたが、これに限定するものではない。棚内ケーブルは、たとえば棚１２１単位で別個にＢＭＳ５０１と接続されてもよい。
【０２９６】
また、本発明の第１の実施の形態に係る収納装置では、棚内ケーブルおよび棚間ケーブルの接続に棚間端子台１６１を用いる構成であるとしたが、これに限定するものではない。たとえば、棚間ケーブルの端子をコネクタ基部１４１、中継用端子台１４４または蓄電池Ｂの端子に接続することにより、棚内ケーブルおよび棚間ケーブルを接続してもよい。
【０２９７】
また、本発明の第１の実施の形態に係る収納装置では、たとえばねじを用いてケーブルの端子と端子台の端子とを脱着可能に接続することにより、電池接続ケーブルと、棚間端子台１６１、装置端子台１６２および中継用端子台１４４とを接続する構成であるとしたが、これに限定するものではない。たとえば、ケーブルの端子と端子台の端子とを固着して接続する構成であってもよい。
【０２９８】
また、本発明の第１の実施の形態に係る収納装置では、電池接続ケーブルの各々の一部を棚１２１に固定することにより、電池接続ケーブルを棚１２１に取り付ける構成であるとしたが、これに限定するものではない。電池接続ケーブルを全体的に棚１２１に固定することにより、電池接続ケーブルを棚１２１に取り付けてもよい。
【０２９９】
次に、本発明の他の実施の形態について図面を用いて説明する。なお、図中同一または相当部分には同一符号を付してその説明は繰り返さない。
【０３００】
＜第２の実施の形態＞
本実施の形態は、第１の実施の形態に係る収納装置と比べてヒューズが固定された棚を備える収納装置に関する。以下で説明する内容以外は第１の実施の形態に係る収納装置と同様である。
【０３０１】
［棚の構成］
図１１は、本発明の第２の実施の形態に係る棚を下側から見た底面図である。
図１２は、図１１に示す棚を蓄電池載置時に右側面側から見た斜視図である。
【０３０２】
図１１〜図１２には、棚１２１Ｓ０が代表的に示されている。一部図示しない棚１２１Ｓ１、および図示しない棚１２１Ｓ２〜１２１Ｓ５についても図１１〜図１２に示す棚１２１Ｓ０と同様である。
【０３０３】
図１１を参照して、収納装置１５１は、第１の実施の形態に係る収納装置と比べて、棚１２１Ｓ０について、電池接続ケーブル１３１Ｐｂ１およびコネクタ付きパネル２０１Ｆ０の代わりに電池接続ケーブル１３１Ｐｆ１，１３１Ｐｇ１およびヒューズ付きパネル２０１ｆＦ０を備え、さらに、ヒューズ１４３Ｆ１を備える。また、収納装置１５１は、第１の実施の形態に係る収納装置と比べて、棚１２１Ｓ１〜１２１Ｓ３について、電池接続ケーブル１３１Ｐｂ２〜１３１Ｐｂ４およびコネクタ付きパネル２０１Ｆ１〜２０１Ｆ３の代わりに、電池接続ケーブル１３１Ｐｆ２〜１３１Ｐｆ４，１３１Ｐｇ２〜１３１Ｐｇ４およびヒューズ付きパネル２０１ｆＦ１〜２０１ｆＦ３を備え、さらに、ヒューズ１４３Ｆ２〜１４３Ｆ４を備える。
【０３０４】
以下、電池接続ケーブル１３１Ｐａ１〜１３１Ｐａ４，１３１Ｐｃ１〜１３１Ｐｃ４，１３１Ｐｄ１〜１３１Ｐｄ４，１３１Ｐｅ１〜１３１Ｐｅ４，１３１Ｐｆ１〜１３１Ｐｆ４，１３１Ｐｇ１〜１３１Ｐｇ４の各々を電池接続ケーブル１３６とも称する。ヒューズ付きパネル２０１ｆＦ０〜２０１ｆＦ３の各々をヒューズ付きパネル２０１ｆとも称する。ヒューズ１４３Ｆ１〜１４３Ｆ４の各々をヒューズ１４３とも称する。
【０３０５】
電池接続ケーブル１３６，１４５は、たとえば、蓄電池Ｂと他の回路とを電気的に接続するために設けられる。具体的には、電池接続ケーブル１３６，１４５は、棚内ケーブルであり、たとえば、同じ棚１２１に対応する蓄電池Ｂ間または蓄電池Ｂと他の回路とを電気的に接続するために設けられる。他の回路には、たとえば、蓄電池Ｂ、コネクタ基部１４１、コネクタ差込部１４２、棚間端子台１６１およびヒューズ１４３が含まれる。
【０３０６】
［棚内ケーブルおよびヒューズの棚への取り付け］
棚１２１Ｓ０〜１２１Ｓ３には、たとえば、それぞれヒューズ付きパネル２０１ｆＦ０〜２０１ｆＦ３が脱着可能に固定される。具体的には、図１２に一部示すように、棚１２１Ｓ０、１２１Ｓ１、１２１Ｓ２および１２１Ｓ３の前面には、それぞれパネル固定ねじ２０２Ｆ０１〜２０２Ｆ０４、２０２Ｆ１１〜２０２Ｆ１４、２０２Ｆ２１〜２０２Ｆ２４および２０２Ｆ３１〜２０２Ｆ３４により、ヒューズ付きパネル２０１ｆＦ０、２０１ｆＦ１、２０１ｆＦ２および２０１ｆＦ３が脱着可能に固定される。
【０３０７】
蓄電池Ｂが棚１２１に載置されていない状態の収納装置１５１において、ヒューズ１４３は、たとえば、ヒューズ付きパネル２０１ｆを介して棚１２１に固定される。
【０３０８】
具体的には、ヒューズ１４３は、たとえば、ボルトおよびナットによりコネクタ付きパネル２０１に対して脱着可能に固定される。ヒューズ１４３は、たとえば、ヒューズ付きパネル２０１ｆの略中央に固定される。
【０３０９】
蓄電池Ｂが棚１２１に載置されていない状態の収納装置１５１において、電池接続ケーブル１３６は、たとえば、棚１２１に取り付けられる。具体的には、ヒューズ１４３は、たとえば、電池接続ケーブル１３６をヒューズ付きパネル２０１ｆに取り付ける。より詳細には、図１１に示すように、棚１２１Ｓ０において、電池接続ケーブル１３１Ｐｆ１は、コネクタ基部１４１ＦＷ１の第２極に接続された第１端と、たとえばねじを用いて脱着可能にヒューズ１４３の第１端に接続された第２端とを有する。
【０３１０】
電池接続ケーブル１３１Ｐｇ１は、たとえばねじを用いて脱着可能にヒューズ１４３の第２端に接続された第１端と、コネクタ基部１４１ＦＥ１の第１極に接続された第２端とを有する。
【０３１１】
ヒューズ１４３は、第１端および第２端間に定格より少ない電流が流れる場合、第１端および第２端間を導通させる。また、ヒューズ１４３は、第１端および第２端間に定格以上の電流が流れると溶断する。これにより、第１端および第２端間が電気的に切断されるので、電池接続ケーブルおよび蓄電池Ｂ等を定格以上の電流から保護することができる。
【０３１２】
なお、本発明の第２の実施の形態に係る収納装置では、ヒューズ１４３は、ヒューズ付きパネル２０１ｆを介して棚１２１に固定される構成であるとしたが、これに限定するものではない。ヒューズ１４３は、たとえば、棚１２１に直接固定される構成であってもよい。
【０３１３】
また、本発明の第２の実施の形態に係るヒューズ１４３は、電池接続ケーブル１３６を介してコネクタ基部１４１に接続される構成であるとしたが、これに限定するものではない。ヒューズ１４３は、たとえば、電池接続ケーブル１３３を介して中継用端子台１４４に接続される構成であってもよい。また、ヒューズ１４３は、たとえば、電池接続ケーブル１３４に接続される構成であってもよい。
【０３１４】
また、本発明の第２の実施の形態に係るヒューズ１４３は、ヒューズ付きパネル２０１ｆの略中央に取り付けられる構成であるとしたが、これに限定するものではない。ヒューズ１４３は、ヒューズ付きパネル２０１ｆの他の位置に取り付けられてもよい。
【０３１５】
［ヒューズおよび電池接続ケーブルの電気的な接続］
図１３は、本発明の第２の実施の形態に係る蓄電池の電気的接続の一例を示す図である。
【０３１６】
図１３を参照して、収納装置１５１では、たとえば、棚内ケーブル、棚間ケーブル、蓄電池Ｂおよび接続部が電気的に接続された状態において、ヒューズ１４３が直列ユニットＢＳにおける蓄電池Ｂと直列に接続される。
【０３１７】
具体的には、図１３に示す蓄電池Ｂの電気的接続では、図９に示す蓄電池Ｂの電気的接続と比べて、蓄電池Ｂ１３，Ｂ２３，Ｂ３３，Ｂ４３と蓄電池Ｂ１４，Ｂ２４，Ｂ３４，Ｂ４４との間に、それぞれヒューズ１４３Ｆ１，１４３Ｆ２，１４３Ｆ３，１４３Ｆ４が接続される。
【０３１８】
より詳細には、ヒューズ１４３Ｆ１，１４３Ｆ２，１４３Ｆ３，１４３Ｆ４の第２端は、それぞれ蓄電池Ｂ１３，Ｂ２３，Ｂ３３，Ｂ４３における陰極ＴＭ１３，ＴＭ２３，ＴＭ３３，ＴＭ４３と電気的に接続される。
【０３１９】
ヒューズ１４３Ｆ１，１４３Ｆ２，１４３Ｆ３，１４３Ｆ４の第１端は、それぞれ蓄電池Ｂ１４，Ｂ２４，Ｂ３４，Ｂ４４における陽極ＴＰ１４，ＴＰ２４，ＴＰ３４，ＴＰ４４と電気的に接続される。
【０３２０】
なお、本発明の第２の実施の形態に係るヒューズ１４３Ｆ１，１４３Ｆ２，１４３Ｆ３，１４３Ｆ４は、それぞれ蓄電池Ｂ１３，Ｂ２３，Ｂ３３，Ｂ４３と蓄電池Ｂ１４，Ｂ２４，Ｂ３４，Ｂ４４との間に接続される構成であるとしたが、これに限定するものではない。ヒューズ１４３は、たとえば、棚内ケーブルに接続される回路と直列に接続されていればよい。
【０３２１】
また、本発明の第２の実施の形態に係る収納装置１５１では、棚１２１ごとに１個のヒューズ１４３が接続される構成であるとしたが、これに限定するものではない。たとえば、収納装置１５１において、棚１２１ごとに複数のヒューズ１４３が接続される構成であってもよい。
【０３２２】
その他の構成および動作は第１の実施の形態に係る収納装置と同様であるため、ここでは詳細な説明を繰り返さない。
【０３２３】
たとえば、電源装置において、ヒューズを１か所にまとめて設置する場合がある。この場合、ヒューズが設置された場所まで電池接続ケーブルを配線する必要があるため、電池接続ケーブルが長くなり、また、電池接続ケーブルの配線が複雑となることがある。
【０３２４】
これに対して、本発明の第２の実施の形態に係る収納装置では、ヒューズ１４３は、蓄電池Ｂが棚１２１に載置されていない状態において棚１２１に固定され、同じ棚１２１に対応する回路間に接続される。
【０３２５】
このような構成により、収納装置１５１を設置する現場でのヒューズの設置作業を不要とすることができるので、現場での工数を削減することができる。
【０３２６】
また、ヒューズ１４３の接続先の回路に対応する適切な位置にヒューズ１４３を固定することができるので、たとえば、複数のヒューズ１４３を１か所にまとめて設置する場合と比べて、短い電池接続ケーブルを用いた簡易な配線が可能となり、また、ヒューズ１４３と回路との対応関係を容易に認識することができる。
【０３２７】
また、ヒューズ１４３は、定格以上の電流が流れると溶断するので、電池接続ケーブルおよび回路等を定格以上の電流から保護することができる。
【０３２８】
また、本発明の第２の実施の形態に係る収納装置では、ヒューズ付きパネル２０１ｆは、棚１２１に対して脱着可能であり、電池接続ケーブル１３６，１４５に接続されたコネクタ基部１４１、コネクタ差込部１４２およびヒューズ１４３が取り付けられる。
【０３２９】
このような構成により、たとえば、棚１２１に載置される蓄電池Ｂの種類および配置等が変更される場合においても、ヒューズ付きパネル２０１ｆを別途製作することにより対応することができるので、同じ棚１２１をそのまま使用することができる。これにより、棚１２１の仕様を統一することができる。
【０３３０】
また、重量物である蓄電池Ｂを載置するための強度が要求され、かつ重量物である棚１２１を加工または製造する代わりに、要求される強度が低くかつ軽量のヒューズ付きパネル２０１ｆを加工または製造すればよいので、製造コストを下げるとともに、作業性を向上させることができる。
【０３３１】
次に、本発明の他の実施の形態について図面を用いて説明する。なお、図中同一または相当部分には同一符号を付してその説明は繰り返さない。
【０３３２】
＜第３の実施の形態＞
本実施の形態は、第１の実施の形態に係る収納装置と比べて棚に載置される蓄電池を固定する機能を向上した収納装置に関する。以下で説明する内容以外は第１の実施の形態に係る収納装置と同様である。
【０３３３】
図１４は、本発明の第３の実施の形態に係る棚の一例を蓄電池載置時に左側面側から見た斜視図である。
図１５は、図１４に示す棚を上側から見た平面図である。
図１６は、図１４に示す棚を下側から見た底面図である。
【０３３４】
図１４には、棚１２５Ｓ１に載置されている２つの蓄電池Ｂが代表的に示されている。図１４〜図１６では、棚１２５Ｓ１が示されているが棚１２５Ｓ２〜１２５Ｓ４についても棚１２５Ｓ１と同様である。
【０３３５】
図１５を参照して、収納装置１５１は、第１の実施の形態に係る収納装置と比べて、棚１２１Ｓ１および固定ベルト１６５ＦＷ１，１６５ＲＷ１，１６５ＦＥ１，１６５ＲＥ１の代わりに、棚（蓄電池固定部）１２５Ｓ１を備え、さらに、電池固定部材（蓄電池固定部）２３１Ｊ１１〜２３１Ｊ１４と、位置固定部材（蓄電池固定部）２４１Ｆ１１〜２４１Ｆ１４，２４１Ｃ１１〜２４１Ｃ１４，２４１Ｒ１１〜２４１Ｒ１４とを備える。
【０３３６】
収納装置１５１は、第１の実施の形態に係る収納装置と比べて、棚１２１Ｓ２〜１２１Ｓ４および固定ベルト１６５ＦＷ２〜１６５ＦＷ４，１６５ＲＷ２〜１６５ＲＷ４，１６５ＦＥ２〜１６５ＦＥ４，１６５ＲＥ２〜１６５ＲＥ４の代わりに、棚（蓄電池固定部）１２５Ｓ２〜１２５Ｓ４を備え、さらに、電池固定部材（蓄電池固定部）２３１Ｊ２１〜２３１Ｊ２４，２３１Ｊ３１〜２３１Ｊ３４，２３１Ｊ４１〜２３１Ｊ４４と、位置固定部材（蓄電池固定部）２４１Ｆ２１〜２４１Ｆ２４，２４１Ｆ３１〜２４１Ｆ３４，２４１Ｆ４１〜２４１Ｆ４４，２４１Ｃ２１〜２４１Ｃ２４，２４１Ｃ３１〜２４１Ｃ３４，２４１Ｃ４１〜２４１Ｃ４４，２４１Ｒ２１〜２４１Ｒ２４，２４１Ｒ３１〜２４１Ｒ３４，２４１Ｒ４１〜２４１Ｒ４４とを備える。
【０３３７】
棚１２５Ｓ１〜１２５Ｓ４には、それぞれガイド穴１２６Ｆ１〜１２６Ｆ４，１２６Ｃ１〜１２６Ｃ４，１２６Ｒ１〜１２６Ｒ４が形成される。
【０３３８】
以下、電池固定部材２３１Ｊ１１〜２３１Ｊ１４，２３１Ｊ２１〜２３１Ｊ２４，２３１Ｊ３１〜２３１Ｊ３４，２３１Ｊ４１〜２３１Ｊ４４の各々を電池固定部材２３１とも称する。位置固定部材２４１Ｆ１１〜２４１Ｆ１４，２４１Ｆ２１〜２４１Ｆ２４，２４１Ｆ３１〜２４１Ｆ３４，２４１Ｆ４１〜２４１Ｆ４４，２４１Ｃ１１〜２４１Ｃ１４，２４１Ｃ２１〜２４１Ｃ２４，２４１Ｃ３１〜２４１Ｃ３４，２４１Ｃ４１〜２４１Ｃ４４，２４１Ｒ１１〜２４１Ｒ１４，２４１Ｒ２１〜２４１Ｒ２４，２４１Ｒ３１〜２４１Ｒ３４，２４１Ｒ４１〜２４１Ｒ４４の各々を位置固定部材２４１とも称する。ガイド穴１２６Ｆ１〜１２６Ｆ４の各々をガイド穴１２６Ｆとも称する。ガイド穴１２６Ｃ１〜１２６Ｃ４の各々をガイド穴１２６Ｃとも称する。ガイド穴１２６Ｒ１〜１２６Ｒ４の各々をガイド穴１２６Ｒとも称する。
【０３３９】
なお、図１４〜図１６において、棚１２５、電池固定部材２３１および位置固定部材２４１の構造、およびガイド穴１２６Ｆ，１２６Ｃ，１２６Ｒの位置の理解を容易にするため、棚間端子台１６１、電池接続ケーブル１３１，１４５、コネクタ差込部１４２、ワイヤークリップ１６３、亘り板２２４および棚に載置される蓄電池Ｂの一部を図示していない。
【０３４０】
棚１２５Ｓ１には、たとえば、コネクタ付きパネル２０１Ｆ１，２１２Ｒ１が脱着可能に固定される。より詳細には、棚１２５Ｓ１の前面には、パネル固定ねじ２０２Ｆ１１〜２０２Ｆ１４により、コネクタ付きパネル２０１Ｆ１が脱着可能に固定される。棚１２５Ｓ１の後面には、パネル固定ねじ２０２Ｒ１１〜２０２Ｒ１４により、コネクタ付きパネル２０１Ｒ１が脱着可能に固定される。
【０３４１】
位置固定部材２４１は、たとえば、電池固定部材２３１を変位可能に棚１２５に固定する。具体的には、位置固定部材２４１は、たとえば、座金付きボルトである。位置固定部材２４１は、たとえば、当該位置固定部材２４１の座金および電池固定部材２３１により棚１２５を挟んだ状態において、当該位置固定部材２４１のボルトが電池固定部材２３１と螺合することにより、電池固定部材２３１を棚１２５に固定する。
【０３４２】
棚１２５の前側および後側において、ガイド穴１２６Ｆおよび１２６Ｒは、左右方向に長い長穴である。また、ガイド穴１２６Ｃは、棚１２５におけるガイド穴１２６Ｆ，１２６Ｒの間に形成され、左右方向に長い長穴である。
【０３４３】
具体的には、ガイド穴１２６Ｆ，１２６Ｒの左右方向の長さは、たとえば、蓄電池Ｂの１辺の長さの２倍に相当する長さより長い。ガイド穴１２６Ｃの左右方向の長さは、たとえばガイド穴１２６Ｆ，１２６Ｒの左右方向の長さより長い。
【０３４４】
ガイド穴１２６Ｆ，１２６Ｒの前後方向の幅は、たとえば、位置固定部材２４１のボルトの外径より広く、かつ、位置固定部材２４１の座金の一辺の長さより狭い。ガイド穴１２６Ｃの前後方向の幅は、たとえば、ガイド穴１２６Ｆ，１２６Ｒの前後方向の幅より広く、かつ、位置固定部材２４１の座金の一辺の長さより狭い。
【０３４５】
電池固定部材２３１は、たとえば、Ｌ字型の断面を有し、その長さは、ガイド穴１２６Ｆ，１２６Ｒ間の長さより長く、かつ棚１２５の前後方向の長さより短い。電池固定部材２３１は、たとえば、棚１２５と接触するための面である棚接触面２４２と、蓄電池Ｂと接触するための面である電池接触面２４３とを有する。棚接触面２４２の幅は、たとえば電池接触面２４３の幅より狭い。
【０３４６】
棚接触面２４２には、たとえば、位置固定部材２４１をねじ止めするための第１ねじ穴、第２ねじ穴および第３ねじ穴が形成される。第１ねじ穴および第２ねじ穴間の距離は、たとえば、ガイド穴１２６Ｆ，１２６Ｃ間の距離と略同じである。第２ねじ穴および第３ねじ穴間の距離は、たとえば、ガイド穴１２６Ｃ，１２６Ｒ間の距離と略同じである。
【０３４７】
たとえば、電池固定部材２３１において、第１ねじ穴、第２ねじ穴および第３ねじ穴における各位置固定部材２４１との螺合を緩めることにより、電池固定部材２３１は、左右方向に変位可能となる。
【０３４８】
また、電池固定部材２３１において、第１ねじ穴、第２ねじ穴および第３ねじ穴における各位置固定部材２４１との螺合を締めることにより、電池固定部材２３１は、固定される。
【０３４９】
電池固定部材２３１は、たとえば、棚１２５に載置される蓄電池Ｂを他の電池固定部材２３１と共同して挟むことにより当該蓄電池Ｂを固定する。
【０３５０】
具体的には、電池固定部材２３１Ｊ１１，２３１Ｊ１２は、図１４に示すように、棚１２５Ｓ１に載置される蓄電池Ｂ１４を互いに共同して挟むように棚１２５Ｓ１に固定される。これにより、蓄電池Ｂ１４が棚１２５Ｓ１に固定される。
【０３５１】
また、電池固定部材２３１Ｊ１３，２３１Ｊ１４は、棚１２５Ｓ１に載置される蓄電池Ｂ１３を互いに共同して挟むように棚１２５Ｓ１に固定される。これにより、蓄電池Ｂ１３が棚１２５Ｓ１に固定される。
【０３５２】
たとえば、蓄電池Ｂ１４と棚１２５Ｓ１の左後端部との間に図示しない蓄電池Ｂ１１が蓄電池Ｂ１４とともに棚１２５Ｓ１に載置される状態では、電池固定部材２３１Ｊ１１，２３１Ｊ１２は、棚１２５Ｓ１に載置される蓄電池Ｂ１４，Ｂ１１を互いに共同して挟むように棚１２５Ｓ１に固定される。これにより、蓄電池Ｂ１４，Ｂ１１が棚１２５Ｓ１に固定される。
【０３５３】
また、蓄電池Ｂ１３と棚１２５Ｓ１の右後端部との間に図示しない蓄電池Ｂ１２が蓄電池Ｂ１３とともに棚１２５Ｓ１に載置される状態では、電池固定部材２３１Ｊ１３，２３１Ｊ１４は、棚１２５Ｓ１に載置される蓄電池Ｂ１３，Ｂ１２を互いに共同して挟むように棚１２５Ｓ１に固定される。これにより、蓄電池Ｂ１３，Ｂ１２が棚１２５Ｓ１に固定される。
【０３５４】
電池固定部材２３１は、たとえば、変位することにより固定対象の蓄電池Ｂのサイズを変更可能である。具体的には、電池固定部材２３１は、たとえば、左右方向に変位可能であるので、蓄電池Ｂのサイズに応じて電池固定部材２３１を変位させることにより、当該蓄電池Ｂを他の電池固定部材２３１と共同して挟むように棚１２５に固定する。
【０３５５】
その他の構成および動作は第１の実施の形態に係る収納装置と同様であるため、ここでは詳細な説明を繰り返さない。
【０３５６】
以上のように、本発明の第３の実施の形態に係る収納装置では、電池固定部材２３１、位置固定部材２４１および棚１２５は、当該棚１２５に載置される蓄電池Ｂを挟むことにより固定し、変位することにより固定対象の蓄電池Ｂのサイズを変更可能である。
【０３５７】
このような構成により、たとえば仕様変更により棚１２５に載置される蓄電池Ｂの種類および形状が変更され、固定対象の蓄電池Ｂのサイズが変わる場合であっても、同じ棚１２５を用いて異なるサイズの蓄電池Ｂを固定することができる。これにより、棚１２５の仕様を統一することができるので、蓄電池Ｂの仕様変更に対応するためのコストを削減することができる。
【０３５８】
なお、本発明の第３の実施の形態に係る収納装置１５１では、電池固定部材２３１が棚１２１の左右方向に変位可能な構成であるとしたが、これに限定するものではない。たとえば、図１４に示す棚１２５Ｓ１において、電池固定部材２３１およびガイド穴１２６Ｆ，１２６Ｃ，１２６Ｒを９０度回転した配置にすることにより、電池固定部材２３１が棚１２１の前後方向に変位可能な構成であってもよい。
【０３５９】
また、本発明の第３の実施の形態に係る収納装置１５１では、すべての電池固定部材２３１が変位可能な構成であるとしたが、これに限定するものではない。たとえば、一部の電池固定部材２３１が変位できない構成であってもよい。具体的には、たとえば、図１４において、電池固定部材２３１Ｊ１１，２３１Ｊ１２の少なくとも一方が変位可能な構成であれば、電池固定部材２３１Ｊ１１，２３１Ｊ１２は、蓄電池Ｂ１４を共同して挟むことにより蓄電池Ｂ１４を固定可能であり、かつ固定対象の蓄電池Ｂ１４のサイズを変更可能である。
【０３６０】
また、本発明の第３の実施の形態に係る収納装置１５１では、電池固定部材２３１は、当該電池固定部材２３１が固定される棚１２５に載置される蓄電池を固定対象とする構成であるとしたが、これに限定するものではない。電池固定部材２３１は、たとえば、当該電池固定部材２３１が固定される棚１２５の一段下の棚１２５に載置される蓄電池を固定対象とする構成であってもよい。具体的には、たとえば、電池固定部材２３１を棚１２５の上面でなく下面に固定することにより、当該棚１２５に一段下の棚１２５に載置される蓄電池Ｂを固定することができる。
【０３６１】
次に、本発明の他の実施の形態について図面を用いて説明する。なお、図中同一または相当部分には同一符号を付してその説明は繰り返さない。
【０３６２】
＜第４の実施の形態＞
本実施の形態は、第１の実施の形態に係る収納装置と比べて直列ユニットの接続関係が変更された収納装置に関する。以下で説明する内容以外は第１の実施の形態に係る収納装置と同様である。
【０３６３】
［棚内ケーブルの接続］
本発明の第４の実施の形態に係る収納装置１５１では、棚１２１Ｓ０において、電池接続ケーブル１３１Ｐｅ１の第２端は、図６と同様に、棚間端子台１６１Ｃ１の端子Ｔ１３に接続され、電池接続ケーブル１３１Ｐａ１の第１端は、棚間端子台１６１Ｃ１の端子Ｔ１２に接続される。
【０３６４】
棚１２１Ｓ１において、電池接続ケーブル１３１Ｐｅ２の第２端は、棚間端子台１６１Ｃ２の端子Ｔ１４に接続され、電池接続ケーブル１３１Ｐａ２の第１端は、棚間端子台１６１Ｃ２の端子Ｔ１３に接続される。
【０３６５】
棚１２１Ｓ２において、電池接続ケーブル１３１Ｐｅ３の第２端は、棚間端子台１６１Ｃ３の端子Ｔ１３に接続され、電池接続ケーブル１３１Ｐａ３の第１端は、棚間端子台１６１Ｃ３の端子Ｔ１２に接続される。
【０３６６】
棚１２１Ｓ３において、電池接続ケーブル１３１Ｐｅ４の第２端は、棚間端子台１６１Ｃ４の端子Ｔ１４に接続され、電池接続ケーブル１３１Ｐａ４の第１端は、棚間端子台１６１Ｃ４の端子Ｔ１３に接続される。
【０３６７】
図１７は、本発明の第４の実施の形態に係る電源装置の断面を示す断面図である。
図１７に示される断面の位置は、図２におけるＩＩＩ−ＩＩＩ線に沿う断面と同じである。
【０３６８】
図１７を参照して、収納装置１５１は、第１の実施の形態に係る収納装置と比べて、電池接続ケーブル１３２Ｐ２３，１３２Ｍ２３，１３２Ｍ１ｂの代わりに１３２Ｐ２４，１３２Ｍ２４，１３２Ｍ２ｂを備える。
【０３６９】
以下、電池接続ケーブル１３２Ｐ１２，１３２Ｐ２４，１３２Ｐ３４，１３２Ｐ４ｂ，１３２Ｍ１２，１３２Ｍ２４，１３２Ｍ３４，１３２Ｍ２ｂの各々を電池接続ケーブル１３７とも称する。
【０３７０】
［棚間ケーブルの収納装置への取り付け］
蓄電池Ｂが棚１２１に載置されていない状態の収納装置１５１において、電池接続ケーブル１３７は、たとえば、棚１２１に取り付けられる。また、電池接続ケーブル１３７は、たとえば、蓄電池Ｂと他の回路とを電気的に接続するために設けられる。具体的には、電池接続ケーブル１３７の一部は、棚間ケーブルである。電池接続ケーブル１３７は、たとえば、蓄電池Ｂと他の棚１２１に載置された蓄電池Ｂとを電気的に接続するために設けられる。
【０３７１】
電池接続ケーブル１３２Ｐ１２，１３２Ｍ１２の第１端は、それぞれ棚間端子台１６１Ｃ１における端子Ｔ２３，Ｔ２２に接続される。電池接続ケーブル１３２Ｐ１２，１３２Ｍ１２の第２端は、それぞれ棚間端子台１６１Ｃ２おける端子Ｔ２３，Ｔ２２に接続される。また、電池接続ケーブル１３２Ｐ１２における第１端および第２端間のインピーダンスと、電池接続ケーブル１３２Ｍ１２における第１端および第２端間のインピーダンスとは、略同じである。
【０３７２】
電池接続ケーブル１３２Ｐ２４，１３２Ｍ２４は、棚間ケーブルであり、たとえば、棚１２１Ｓ２に載置された蓄電池Ｂ２１〜Ｂ２４と棚１２１Ｓ４に載置された蓄電池Ｂ４１〜Ｂ４４とを電気的に接続するために設けられる。
【０３７３】
より詳細には、電池接続ケーブル１３２Ｐ２４，１３２Ｍ２４は、それぞれ、棚間端子台１６１Ｃ２における端子Ｔ２４，Ｔ２１に接続された第１端と、棚間端子台１６１Ｃ４における端子Ｔ２４，Ｔ２１に接続された第２端とを有する。
【０３７４】
電池接続ケーブル１３２Ｐ２４，１３２Ｍ２４は、たとえば、同種の電線により構成され、棚１２１Ｓ２，１２１Ｓ４間の距離に応じた長さを有する。すなわち、電池接続ケーブル１３２Ｐ２４における第１端および第２端間のインピーダンスと、電池接続ケーブル１３２Ｍ２４における第１端および第２端間のインピーダンスとは、略同じである。
【０３７５】
電池接続ケーブル１３２Ｐ３４，１３２Ｍ３４の第１端は、それぞれ棚間端子台１６１Ｃ３における端子Ｔ２３，Ｔ２２に接続される。電池接続ケーブル１３２Ｐ３４，１３２Ｍ３４の第２端は、それぞれ棚間端子台１６１Ｃ４における端子Ｔ２３，Ｔ２２に接続される。また、電池接続ケーブル１３２Ｐ３４における第１端および第２端間のインピーダンスと、電池接続ケーブル１３２Ｍ３４における第１端および第２端間のインピーダンスとは、略同じである。
【０３７６】
このように、亘りの配線として電池接続ケーブル１３２Ｐ１２，１３２Ｍ１２，１３２Ｐ２４，１３２Ｍ２４，１３２Ｐ３４，１３２Ｍ３４を用いる構成により、異なる棚１２１に載置される蓄電池Ｂ同士の電気的な接続関係を容易に変更することができ、かつ、電池接続ケーブルの長さも棚間の距離に応じて設定することができるので、設計を容易にし、コストダウンを図ることができる。
【０３７７】
電池接続ケーブル１３２Ｐ４ｂ，１３２Ｍ２ｂは、たとえば、棚１２１に載置された蓄電池ＢとＢＭＳ５０１とを電気的に接続するために設けられる。
【０３７８】
より詳細には、図１７に示すように、電池接続ケーブル１３２Ｐ４ｂの第１端および第２端は、それぞれ棚間端子台１６１Ｃ４における端子Ｔ２４経由で棚間端子台１６１Ｃ４の端子Ｔ１４、および装置端子台１６２における端子Ｔ３１に接続される。
【０３７９】
以下、図示していないが、棚間端子台１６１Ｃ２における端子Ｔ２２，Ｔ１２は電気的に接続される。棚間端子台１６１Ｃ２における端子Ｔ１２および端子Ｔ１１はたとえば配線により電気的に接続される。そして、図１７に示すように、電池接続ケーブル１３２Ｍ２ｂは、棚間端子台１６１Ｃ２における端子Ｔ２１経由で棚間端子台１６１Ｃ２の端子Ｔ１１に接続された第１端と、装置端子台１６２における端子Ｔ３２に接続された第２端とを有する。したがって、棚間端子台１６１Ｃ２における端子Ｔ２２と装置端子台１６２における端子Ｔ３２とが電気的に接続される。
【０３８０】
［電池接続ケーブルの電気的な接続］
図１８は、本発明の第４の実施の形態に係る蓄電池の電気的接続の一例を示す図である。
【０３８１】
図１８を参照して、電源装置１０１では、たとえば、棚１２１ごとに形成された４個の直列ユニットが棚間ケーブルにより２直２並列に接続される。すなわち、電源装置１０１では、１６個の蓄電池Ｂが８直２並列に接続される。
【０３８２】
より詳細には、装置端子台１６２における端子Ｔ３１は、電池接続ケーブル１３２Ｐ４ｂを介して棚間端子台１６１Ｃ４における端子Ｔ２４と電気的に接続される。
【０３８３】
棚間端子台１６１Ｃ４における端子Ｔ２４は、電池接続ケーブル１３２Ｐ２４を介して棚間端子台１６１Ｃ２における端子Ｔ２４と電気的に接続される。棚間端子台１６１Ｃ４，１６１Ｃ２の各々における端子Ｔ２４，Ｔ１４は電気的に接続される。
【０３８４】
蓄電池Ｂ２１，Ｂ４１における陽極ＴＰ２１，ＴＰ４１は、それぞれ棚間端子台１６１Ｃ２，１６１Ｃ４における端子Ｔ１４と電気的に接続される。蓄電池Ｂ２１，Ｂ４１における陰極ＴＭ２１，ＴＭ４１は、それぞれ蓄電池Ｂ２２，Ｂ４２における陽極ＴＰ２２，ＴＰ４２と電気的に接続される。蓄電池Ｂ２２，Ｂ４２における陰極ＴＭ２２，ＴＭ４２は、それぞれ蓄電池Ｂ２３，Ｂ４３における陽極ＴＰ２３，ＴＰ４３と電気的に接続される。蓄電池Ｂ２３，Ｂ４３における陰極ＴＭ２３，ＴＭ４３は、それぞれ蓄電池Ｂ２４，Ｂ４４における陽極ＴＰ２４，ＴＰ４４と電気的に接続される。
【０３８５】
蓄電池Ｂ２４，Ｂ４４における陰極ＴＭ２４，ＴＭ４４は、それぞれ棚間端子台１６１Ｃ２，１６１Ｃ４における端子Ｔ１３と電気的に接続される。棚間端子台１６１Ｃ２，１６１Ｃ４の各々における端子Ｔ１３，Ｔ２３は電気的に接続される。
【０３８６】
棚間端子台１６１Ｃ２における端子Ｔ２３は、電池接続ケーブル１３２Ｐ１２を介して棚間端子台１６１Ｃ１における端子Ｔ１３と電気的に接続される。棚間端子台１６１Ｃ４における端子Ｔ２３は、電池接続ケーブル１３２Ｐ３４を介して棚間端子台１６１Ｃ３における端子Ｔ１３と電気的に接続される。棚間端子台１６１Ｃ１，１６１Ｃ３の各々における端子Ｔ２３，Ｔ１３は電気的に接続される。
【０３８７】
蓄電池Ｂ１１，Ｂ３１における陽極ＴＰ１１，ＴＰ３１は、それぞれ棚間端子台１６１Ｃ１，１６１Ｃ３における端子Ｔ１３と電気的に接続される。蓄電池Ｂ１１，Ｂ３１における陰極ＴＭ１１，ＴＭ３１は、それぞれ蓄電池Ｂ１２，Ｂ３２における陽極ＴＰ１２，ＴＰ３２と電気的に接続される。蓄電池Ｂ１２，Ｂ３２における陰極ＴＭ１２，ＴＭ３２は、それぞれ蓄電池Ｂ１３，Ｂ３３における陽極ＴＰ１３，ＴＰ３３と電気的に接続される。蓄電池Ｂ１３，Ｂ３３における陰極ＴＭ１３，ＴＭ３３は、それぞれ蓄電池Ｂ１４，Ｂ３４における陽極ＴＰ１４，ＴＰ３４と電気的に接続される。
【０３８８】
蓄電池Ｂ１４，Ｂ３４における陰極ＴＭ１４，ＴＭ３４は、それぞれ棚間端子台１６１Ｃ１，１６１Ｃ３における端子Ｔ１２と電気的に接続される。棚間端子台１６１Ｃ１，１６１Ｃ３の各々における端子Ｔ１２，Ｔ２２は電気的に接続される。
【０３８９】
棚間端子台１６１Ｃ１における端子Ｔ２２は、電池接続ケーブル１３２Ｍ１２を介して棚間端子台１６１Ｃ２における端子Ｔ２２と電気的に接続される。棚間端子台１６１Ｃ３における端子Ｔ２２は、電池接続ケーブル１３２Ｍ３４を介して棚間端子台１６１Ｃ４における端子Ｔ２２と電気的に接続される。棚間端子台１６１Ｃ２，１６１Ｃ４の各々における端子Ｔ２２，Ｔ１２は電気的に接続される。
【０３９０】
棚間端子台１６１Ｃ２における端子Ｔ１２，Ｔ１１はたとえば配線により電気的に接続される。棚間端子台１６１Ｃ４における端子Ｔ１２，Ｔ１１はたとえば配線により電気的に接続される。棚間端子台１６１Ｃ２，１６１Ｃ４の各々における端子Ｔ１１，Ｔ２１は電気的に接続される。
【０３９１】
棚間端子台１６１Ｃ２における端子Ｔ２１は、電池接続ケーブル１３２Ｍ２４を介して棚間端子台１６１Ｃ４における端子Ｔ２１と電気的に接続される。
【０３９２】
棚間端子台１６１Ｃ２における端子Ｔ２１は、電池接続ケーブル１３２Ｍ２ｂを介して装置端子台１６２における端子Ｔ３２と電気的に接続される。
【０３９３】
なお、本発明の第４の実施の形態に係る電源装置１０１では、電池接続ケーブル１３２Ｍ２ｂが棚間端子台１６１Ｃ２における端子Ｔ２１および装置端子台１６２における端子Ｔ３２に接続される構成であるとしたが、これに限定するものではない。電池接続ケーブル１３２Ｍ２ｂは、たとえば、棚間端子台１６１Ｃ２における端子Ｔ２１の代わりに、装置端子台１６２の最も近くに位置する棚間端子台１６１Ｃ４における端子Ｔ２１に接続される構成であってもよい。これにより、電池接続ケーブル１３２Ｍ２ｂの長さを短くすることができるので、電池接続ケーブル１３２Ｍ２ｂのインピーダンスを下げて電力損失を低減するとともに、製造コストを下げることができる。
【０３９４】
［電池接続ケーブルのインピーダンス］
上述したように、棚間端子台１６１における棚間端子Ｔから蓄電池Ｂを経由して当該棚間端子台１６１における他の棚間端子Ｔまでの棚内ケーブルにより形成される経路のインピーダンスは、各棚１２１について略同じである。
【０３９５】
棚１２１の間には、たとえば、同種の電線により構成され、かつ、略同じ長さを有する電池接続ケーブル１３７が取り付けられる。たとえば、図１７に示すように、棚間端子台１６１Ｃ２における端子Ｔ２４および棚間端子台１６１Ｃ４における端子Ｔ２４間のインピーダンスと、棚間端子台１６１Ｃ２における端子Ｔ２１および棚間端子台１６１Ｃ４における端子Ｔ２１間のインピーダンスは、略同じである。
【０３９６】
たとえば、棚１２１Ｓ０，１２１Ｓ１の間隔と棚１２１Ｓ２，１２１Ｓ３の間隔が略同じである場合、電池接続ケーブル１３２Ｐ１２，１３２Ｍ１２，１３２Ｐ３４，１３２Ｍ３４は、たとえば、同種の電線により構成され、上記間隔に応じた長さを有する。すなわち、電池接続ケーブル１３２Ｐ１２における第１端および第２端間のインピーダンスと、電池接続ケーブル１３２Ｍ１２における第１端および第２端間のインピーダンスと、電池接続ケーブル１３２Ｐ３４における第１端および第２端間のインピーダンスと、電池接続ケーブル１３２Ｍ３４における第１端および第２端間のインピーダンスとは、略同じである。
【０３９７】
したがって、上記の場合において、棚間端子台１６１Ｃ１における端子Ｔ２３および棚間端子台１６１Ｃ２における端子Ｔ２３間のインピーダンスと、棚間端子台１６１Ｃ３における端子Ｔ２３および棚間端子台１６１Ｃ４における端子Ｔ２３間のインピーダンスは、略同じとなる。
【０３９８】
また、棚間端子台１６１Ｃ１における端子Ｔ２２および棚間端子台１６１Ｃ２における端子Ｔ２２間のインピーダンスと、棚間端子台１６１Ｃ３における端子Ｔ２２および棚間端子台１６１Ｃ４における端子Ｔ２２間のインピーダンスは、略同じとなる。
【０３９９】
また、棚間端子台１６１Ｃ１〜１６１Ｃ４における端子Ｔ１１，Ｔ２１間、端子Ｔ１２，Ｔ２２間、端子Ｔ１３，Ｔ２３間およびＴ１４，Ｔ２４間のインピーダンスは無視できる程度に小さい。また、棚間端子台１６１Ｃ２，１６１Ｃ４において、配線により電気的に接続された端子Ｔ１１，Ｔ１２間のインピーダンスはたとえば無視できる程度に小さい。
【０４００】
したがって、電源装置１０１とＢＭＳ５０１との接続部である装置端子台１６２から２つの棚１２１に載置された蓄電池Ｂを経由した装置端子台１６２までの棚内ケーブルおよび棚間ケーブルにより形成される各経路のインピーダンスが略同じである。
【０４０１】
より詳細には、装置端子台１６２における端子Ｔ３１から直列ユニットＢＳ２，ＢＳ１を経由して装置端子台１６２における端子Ｔ３２までの電池接続ケーブルにより形成される経路のインピーダンスと、装置端子台１６２における端子Ｔ３１から直列ユニットＢＳ４，ＢＳ３を経由して装置端子台１６２における端子Ｔ３２までの電池接続ケーブルにより形成される経路のインピーダンスとが略同じである。
【０４０２】
これにより、直列ユニットＢＳ１〜ＢＳ４における蓄電池Ｂを充電または放電させる場合に、いずれの蓄電池Ｂに対しても略同じ電圧をそれぞれ印加または出力させることができるので、蓄電池Ｂの寿命を延ばすことができる。
【０４０３】
その他の構成および動作は第１の実施の形態に係る収納装置と同様であるため、ここでは詳細な説明を繰り返さない。
【０４０４】
以上のように、本発明の第４の実施の形態に係る収納装置では、棚１２１は複数の蓄電池Ｂを載置可能であり、電池接続ケーブル１３１，１３７，１４５には、同じ棚１２１に対応する蓄電池Ｂ間または蓄電池Ｂと他の回路とを電気的に接続するための棚内ケーブルである電池接続ケーブル１３１，１４５、および蓄電池Ｂと他の棚１２１に載置される蓄電池Ｂとを電気的に接続するための棚間ケーブルが含まれる。棚内ケーブルは、棚１２１に載置される複数の蓄電池Ｂを電気的に直列に接続するために設けられる。棚間ケーブルは、棚１２１に載置される蓄電池Ｂと他の棚１２１に載置される蓄電池Ｂとを電気的に直列または並列に接続するために設けられる。
【０４０５】
このような構成により、異なる棚１２１に載置される蓄電池Ｂ同士の電気的な接続と、これらの棚１２１の空間的な配置とを対応させることができるので、収納装置１５１における各蓄電池Ｂの電気的な接続について、個々の蓄電池Ｂ単位で考えることなく、各棚１２１に載置される蓄電池Ｂの組を１単位として直観的に判断することができる。
【０４０６】
これにより、たとえば、電気的な接続に関し仕様の異なる収納装置１５１を設計する場合において、電気的な接続以外の機構設計等を共通化することができる。そして、棚内ケーブルおよび棚間ケーブルの接続を変更することにより、電気的な接続の仕様の異なる収納装置１５１を設計することができる。したがって、設計コストおよび製造コストを削減することができる。
【０４０７】
また、本発明の第４の実施の形態に係る収納装置では、電源装置１０１において、電源装置１０１の外部回路であるＢＭＳ５０１との接続部である装置端子台１６２における端子Ｔ３１から各棚１２１に載置される蓄電池Ｂを経由した装置端子台１６２における端子Ｔ３２までの電池接続ケーブルによる各経路、のインピーダンスが略同じである。
【０４０８】
このような構成により、たとえば、各棚１２１に載置された蓄電池Ｂを充電または放電させる場合において、いずれの蓄電池Ｂに対しても略同じ電圧をそれぞれ印加または出力させることができるので、蓄電池Ｂの寿命を延ばすことができる。
【０４０９】
なお、本発明の第１の実施の形態〜第４の実施の形態に係る各装置の構成要素のうち、一部または全部を任意に組み合わせることも可能である。
【０４１０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０４１１】
１０１  電源装置
１０２  ケーシング
１０３  水切り
１０４  扉
１１１  支柱
１２１  棚
１２５  棚（蓄電池固定部）
１２６Ｆ，１２６Ｒ  ガイド穴
１２６Ｃ  ガイド穴
１２７  汎用穴
１２８  汎用穴
１２９  汎用穴
１３１，１３３，１３４，１３６  電池接続ケーブル
１３２，１３７  電池接続ケーブル
１３５  充放電ケーブル
１４１  コネクタ基部（ケーブル接続部、ケーブル取り付け部および識別子）
１４２  コネクタ差込部（ケーブル接続部およびケーブル取り付け部）
１４３  ヒューズ
１４４  中継用端子台（ケーブル接続部、ケーブル取り付け部および識別子）
１４５，１４６  電池接続ケーブル
１５１  収納装置
１６１  棚間端子台（ケーブル取り付け部）
１６２  装置端子台
１６３  ワイヤークリップ（ケーブル取り付け部）
１６５  固定ベルト
１７１  端子指定ラベル（識別子）
２０１  コネクタ付きパネル
２０１ｆ  ヒューズ付きパネル
２０１ｍ  端子台付きパネル
２０１ｐ  標準パネル
２２１  天板
２２２Ｅ  右側板
２２２Ｗ  左側板
２２２Ｆ  前側板
２２２Ｒ  後側板
２２３  底板
２２４  亘り板
２３１  電池固定部材（蓄電池固定部）
２４１  位置固定部材（蓄電池固定部）
２４２  棚接触面
２４３  電池接触面
３０１  開口部
４０１  蓄電システム
５０１  ＢＭＳ
５１１  発電装置
５１２  パワーコンディショナ
５１３  負荷
Ｂ  蓄電池
ＴＰ  陽極
ＴＭ  陰極
【図１】
2015002139.tif 000003
【図２】
2015002139.tif 000004
【図３】
2015002139.tif 000005
【図４】
2015002139.tif 000006
【図５】
2015002139.tif 000007
【図６】
2015002139.tif 000008
【図７】
2015002139.tif 000009
【図８】
2015002139.tif 000010
【図９】
2015002139.tif 000011
【図１０】
2015002139.tif 000012
【図１１】
2015002139.tif 000013
【図１２】
2015002139.tif 000014
【図１３】
2015002139.tif 000015
【図１４】
2015002139.tif 000016
【図１５】
2015002139.tif 000017
【図１６】
2015002139.tif 000018
【図１７】
2015002139.tif 000019
【図１８】
2015002139.tif 000020